(57)【要約】【課題】ベッド寝床部上の被験者の在床状況に関する情報を容易に管理できる在床情報管理システムを提供する。【解決手段】在床情報管理システム1101は、ベッド寝床部に掛かる荷重値に基づいて被験者の在床状況を判定する判定手段と、その判定結果を判定時刻と関連付けてデータセット蓄積部1204に在床情報の一部として蓄積させるデータセット蓄積制御手段1205と、蓄積されたデータセットを統計解析し、その結果を学習解析結果として解析結果記憶手段1222に記憶する学習手段1220と、特定の時刻における判定手段の判定結果を学習解析結果と比較して、特定の時刻における被験者の在床状況について注意が必要であるか否かを総合判定する総合判定手段1226と、総合判定手段の総合判定結果を在床情報の一部として蓄積する総合判定蓄積手段1228と、在床情報を含む情報を報知する報知手段1244と、を備える。【選択図】図１１
2015042248.tif 000002
【特許請求の範囲】
【請求項１】
被験者が臥床するためのベッド寝床部に掛かる荷重を所定の周期で検出する荷重検出手段と、
前記荷重検出手段により検出された荷重値に基づいて被験者の在床状況を判定する判定手段を有する制御手段と、
前記判定手段により被験者の在床状況を判定した時刻を計測する時刻計測手段と、
前記判定手段の判定結果をその判定時刻と関連付けてデータセット蓄積部に在床情報の一部として蓄積させるデータセット蓄積制御手段と、
前記データセット蓄積部に蓄積されたデータセットを統計解析し、その結果を学習解析結果として解析結果記憶手段に記憶する学習手段と、
特定の時刻における前記判定手段の判定結果を、前記解析結果記憶手段に記憶された前記学習解析結果と比較して、前記特定の時刻における被験者の在床状況について注意が必要であるか否かを総合判定する総合判定手段と、
前記総合判定手段の総合判定結果を在床情報の一部として蓄積する総合判定蓄積手段と、
前記在床情報を含む情報を報知する報知手段と、を備えている、在床情報管理システム。
【請求項２】
前記荷重検出手段は、
ベッド寝床部の頭側右部、頭側左部、足側右部及び足側左部に掛かる荷重をそれぞれ検出する第１〜第４荷重検出センサを有し、
前記制御手段は、
前記第１及び第２荷重検出センサにより検出された荷重値を合計した頭側荷重値を算出して記憶する荷重値データ記憶手段と、
現時刻からｔ１（但し０＜ｔ１）時間前の頭側荷重値に対する現時刻の頭側荷重値の減少率がα１（但し０＜α１）以上である状態がβ１（但し０＜β１）時間以上継続しているという第１条件と、現時刻からｔ２（但しｔ１≦ｔ２）時間前の頭側荷重値に対する現時刻の頭側荷重値の減少率がα２（但し０＜α２＜α１）以上である状態がβ２（但しβ１＜β２）時間以上継続しているという第２条件と、のうち少なくとも一方を満足しているか否かを判定し、前記第１条件と前記第２条件とのうち少なくとも一方を満足していると判定した場合、被験者の在床状況として寝床部上の被験者が背上げ動作をしたと判定する、前記判定手段としての背上げ判定手段と、を有する請求項１記載の在床情報管理システム。
【請求項３】
前記荷重値データ記憶手段は、更に、前記第３及び第４荷重検出センサにより検出された荷重値を合計した足側荷重値を算出して記憶するものであり、
前記背上げ判定手段の前記第２条件は、前記頭側荷重値の減少率が前記α２以上であり且つ現時刻から前記ｔ２時間前の足側荷重値に対する現時刻の足側荷重値の増加率がα３（但し０＜α３≦α２）以上である状態が前記β２時間以上継続しているという条件である請求項２記載の在床情報管理システム。
【請求項４】
前記制御手段は、更に、
前記第１〜第４荷重検出センサにより検出された荷重値に基づいて被験者が寝床部上に臥床したか否かを判定する、前記判定手段としての臥床判定手段と、
前記臥床判定手段で被験者が寝床部上に臥床したと判定された場合、その時の前記第１〜第４荷重検出センサによる荷重値を合計した総荷重値を臥床時総荷重値として算出して記憶する臥床時総荷重値記憶手段と、を有しており、
前記臥床判定手段及び前記臥床時総荷重値記憶手段は、前記荷重値データ記憶手段及び前記背上げ判定手段の実行の前で実行されるものであり、
前記荷重値データ記憶手段は、更に、前記第１〜第４荷重検出センサにより検出された荷重値を合計した総荷重値を算出して記憶するものであり、
前記背上げ判定手段は、現時刻から前記ｔ１時間前の総荷重値と現時刻の総荷重値との差の絶対値が前記臥床時総荷重値の１／ａ（但し１＜ａ）倍以下であるか否かを判定し、前記差の絶対値が前記臥床時総荷重値の１／ａ倍以下であると判定した場合、前記第１条件と前記第２条件とのうち少なくとも一方を満足しているか否かを判定するものである請求項２または３に記載の在床情報管理システム。
【請求項５】
前記背上げ判定手段は、前記差の絶対値が前記臥床時総荷重値の１／ａ倍以下ではないと判定した場合、前記臥床判定手段を再実行させる請求項４記載の在床情報管理システム。
【請求項６】
ｔ１は、ｔ１＜ｔ２の関係を満足している請求項２〜５のいずれかに記載の在床情報管理システム。
【請求項７】
β１は、β１≦β２×（３／５）の関係を満足している請求項２〜６のいずれかに記載の在床情報管理システム。
【請求項８】
インターネットを含むコンピュータネットワークを介した、クライアントコンピュータである多機能端末から、請求項１〜７のいずれかに記載の在床情報管理システムにおける在床情報が被験者の識別情報をキーとして格納されたデータベースを有する在床状況情報処理センタのサーバシステムへの、在床情報に対するアクセスを提供するプログラムであって、
多機能端末に、
被験者の識別情報を在床状況情報処理センタのサーバシステムへ送信する手順と、
前記送信した識別情報をキーとしてサーバシステムのデータベースに格納された在床情報をサーバシステムから受信する手順と、
前記受信した在床情報を表示する手順と、
を実行させるためのプログラム。
【発明の詳細な説明】
【技術分野】
【０００１】
本発明は、寝床（例：ベッド寝床部）上に在床している被験者の寝床からの在床状況に関する情報を管理する在床情報管理システム及び同システムに用いられるプログラムに関する。
【背景技術】
【０００２】
ベッドの寝床部上の被験者（例：被介護者）が寝床部から離床したことを検出する装置として、例えば、特開２００５−１５２６１６号公報（特許文献１）に開示された装置が知られている。この装置は、寝床部上のマットレスの下に配置されたパネル式センサの電気信号の変化によって被験者の離床を検出し、被験者が離床したことをナースコール装置を介して介護者（例：看護師、被験者の家族、親類）にアラーム音等で報知するように構成されている。
被験者の離床を検出する装置として、その他に、幾つかの装置が知られている（例えば、特許文献２〜６参照）。
【０００３】
上記のような装置によって被験者が離床したことを知った介護者は、ベッドが設置されている居所へ行き、被験者に対し必要な介助を行う。そして、介助後に、介護者は、被験者の離床に関する情報を管理するため、介護日誌に被験者の離床理由、介護内容（介助内容）、離床時刻などの介護記録を記入していた。
【先行技術文献】
【特許文献】
【０００４】
【特許文献１】特開２００５−１５２６１６号公報
【特許文献２】特開２００６−３０５３４３号公報
【特許文献３】特開２００７−１７５２０８号公報
【特許文献４】特開２００７−３３０６５８号公報
【特許文献５】特開２００７−３３０６５９号公報
【特許文献６】特開２００８−２６４３３８号公報
【発明の概要】
【発明が解決しようとする課題】
【０００５】
しかしながら、介護者は忙しいために介護記録を記入作業することが負担となっていた。このような作業をすることなく過去に遡った在床状況がモニター（観測、監視）できることが望まれていた。
【０００６】
本発明は、上述した技術背景に鑑みてなされたもので、その目的は、被験者（「ベッド使用者」又は「使用者」とも称す。）の在床状況に関する情報を容易に管理することができる在床情報管理システム及び同システムに用いられるプログラムを提供することにある。
【課題を解決するための手段】
【０００７】
本発明は以下の手段を提供する。
［１］  被験者が臥床するためのベッド寝床部に掛かる荷重を所定の周期で検出する荷重検出手段と、
前記荷重検出手段により検出された荷重値に基づいて被験者の在床状況を判定する判定手段を有する制御手段と、
前記判定手段により被験者の在床状況を判定した時刻を計測する時刻計測手段と、
前記判定手段の判定結果をその判定時刻と関連付けてデータセット蓄積部に在床情報の一部として蓄積させるデータセット蓄積制御手段と、
前記データセット蓄積部に蓄積されたデータセットを統計解析し、その結果を学習解析結果として解析結果記憶手段に記憶する学習手段と、
特定の時刻における前記判定手段の判定結果を、前記解析結果記憶手段に記憶された前記学習解析結果と比較して、前記特定の時刻における被験者の在床状況について注意が必要であるか否かを総合判定する総合判定手段と、
前記総合判定手段の総合判定結果を在床情報の一部として蓄積する総合判定蓄積手段と、
前記在床情報を含む情報を報知する報知手段と、を備えている、在床情報管理システム。
【０００８】
［２］  前記荷重検出手段は、
ベッド寝床部の頭側右部、頭側左部、足側右部及び足側左部に掛かる荷重をそれぞれ検出する第１〜第４荷重検出センサを有し、
前記制御手段は、
前記第１及び第２荷重検出センサにより検出された荷重値を合計した頭側荷重値を算出して記憶する荷重値データ記憶手段と、
現時刻からｔ１（但し０＜ｔ１）時間前の頭側荷重値に対する現時刻の頭側荷重値の減少率がα１（但し０＜α１）以上である状態がβ１（但し０＜β１）時間以上継続しているという第１条件と、現時刻からｔ２（但しｔ１≦ｔ２）時間前の頭側荷重値に対する現時刻の頭側荷重値の減少率がα２（但し０＜α２＜α１）以上である状態がβ２（但しβ１＜β２）時間以上継続しているという第２条件と、のうち少なくとも一方を満足しているか否かを判定し、前記第１条件と前記第２条件とのうち少なくとも一方を満足していると判定した場合、被験者の在床状況として寝床部上の被験者が背上げ動作をしたと判定する、前記判定手段としての背上げ判定手段と、を有する前項１記載の在床情報管理システム。
【０００９】
［３］  前記荷重値データ記憶手段は、更に、前記第３及び第４荷重検出センサにより検出された荷重値を合計した足側荷重値を算出して記憶するものであり、
前記背上げ判定手段の前記第２条件は、前記頭側荷重値の減少率が前記α２以上であり且つ現時刻から前記ｔ２時間前の足側荷重値に対する現時刻の足側荷重値の増加率がα３（但し０＜α３≦α２）以上である状態が前記β２時間以上継続しているという条件である前項２記載の在床情報管理システム。
【００１０】
［４］  前記制御手段は、更に、
前記第１〜第４荷重検出センサにより検出された荷重値に基づいて被験者が寝床部上に臥床したか否かを判定する、前記判定手段としての臥床判定手段と、
前記臥床判定手段で被験者が寝床部上に臥床したと判定された場合、その時の前記第１〜第４荷重検出センサによる荷重値を合計した総荷重値を臥床時総荷重値として算出して記憶する臥床時総荷重値記憶手段と、を有しており、
前記臥床判定手段及び前記臥床時総荷重値記憶手段は、前記荷重値データ記憶手段及び前記背上げ判定手段の実行の前で実行されるものであり、
前記荷重値データ記憶手段は、更に、前記第１〜第４荷重検出センサにより検出された荷重値を合計した総荷重値を算出して記憶するものであり、
前記背上げ判定手段は、現時刻から前記ｔ１時間前の総荷重値と現時刻の総荷重値との差の絶対値が前記臥床時総荷重値の１／ａ（但し１＜ａ）倍以下であるか否かを判定し、前記差の絶対値が前記臥床時総荷重値の１／ａ倍以下であると判定した場合、前記第１条件と前記第２条件とのうち少なくとも一方を満足しているか否かを判定するものである請求項２または３に記載の在床情報管理システム。
【００１１】
［５］  前記背上げ判定手段は、前記差の絶対値が前記臥床時総荷重値の１／ａ倍以下ではないと判定した場合、前記臥床判定手段を再実行させる前項４記載の在床情報管理システム。
【００１２】
［６］  ｔ１は、ｔ１＜ｔ２の関係を満足している前項２〜５のいずれかに記載の在床情報管理システム。
【００１３】
［７］  β１は、β１≦β２×（３／５）の関係を満足している前項２〜６のいずれかに記載の在床情報管理システム。
【００１４】
［８］  インターネットを含むコンピュータネットワークを介した、クライアントコンピュータである多機能端末から、前項１〜７のいずれかに記載の在床情報管理システムにおける在床情報が被験者の識別情報をキーとして格納されたデータベースを有する在床状況情報処理センタのサーバシステムへの、在床情報に対するアクセスを提供するプログラムであって、
多機能端末に、
被験者の識別情報を在床状況情報処理センタのサーバシステムへ送信する手順と、
前記送信した識別情報をキーとしてサーバシステムのデータベースに格納された在床情報をサーバシステムから受信する手順と、
前記受信した在床情報を表示する手順と、
を実行させるためのプログラム。
【発明の効果】
【００１５】
上記［１］に記載の在床情報管理システムの効果は以下のとおりである。
本発明の在床情報管理システムは、在床情報を蓄積してモニター（観測、監視）できる。さらにその蓄積情報を用いた学習機能を有しているので、在床状況の判定の精度が向上する。
【００１６】
上記［２］に記載の在床情報管理システムは更に次の効果を奏する。
この制御手段において、背上げ判定手段の第１条件は、被験者の背上げ動作が比較的速い場合に適する背上げ判定条件となっており、一方、背上げ判定手段の第２条件は、被験者の背上げ動作が比較的遅い場合に適する背上げ判定条件となっている。
【００１７】
すなわち、背上げ動作が速い場合は比較的短時間で頭側荷重値が減少し、一方、背上げ動作が遅い場合は比較的長い時間をかけて頭側荷重値が減少する。そこで、第１条件のｔ１と第２条件のｔ２との関係を「ｔ１≦ｔ２」と設定している。
【００１８】
さらに、背上げ動作が速い場合は、比較的短時間で頭側荷重値が減少するのでその減少率は比較的大きく、一方、背上げ動作が遅い場合は、比較的長い時間をかけて頭側荷重値が減少するのでその減少率は比較的小さい。そこで、第１条件のα１と第２条件のα２との関係を「α１＞α２」と設定している。
【００１９】
このように設定することにより、第１条件が背上げ動作が速い場合に適する背上げ判定条件となるとともに、第２条件が背上げ動作が遅い場合に適する背上げ判定条件となっている。そして、背上げ判定手段は、第１条件と第２条件とのうち少なくとも一方を満足しているか否かが判定されて、少なくとも一方を満足している場合、寝床部上の被験者が背上げ動作をしたと判定する。したがって、被験者の背上げ動作が速い場合でも遅い場合でも被験者が背上げ動作をしたか否かについて判定することができ、すなわち、被験者の背上げ動作についてその速さに追従して判定することができ、これにより被験者の背上げ動作を確実に検知することができる。
【００２０】
さらに、背上げ動作が遅い場合は、上述したように頭側荷重値の減少率は比較的小さいことから、背上げ動作が遅い場合の頭側荷重値の減少率は、背上げ動作が速い場合の頭側荷重値の減少率よりも、背上げ動作に関係のない小さな荷重値の変動（ノイズ）の影響を受け易い。そこで、第１条件のβ１と第２条件のβ２との関係を「β１＜β２」と設定している。これにより、ノイズの影響による誤判定を回避することができ、その結果、背上げ動作についての判定精度を向上させることができるし、更に、背上げ動作が速い場合は背上げ動作が遅い場合よりも早期に背上げ動作を検知することができる。
【００２１】
しかも、背上げ判定手段で被験者の背上げ動作の判定に用いる値は、頭側荷重値の減少量ではなく減少率なので、被験者の体重の大小による判定のばらつきを極力なくすことができ、これにより背上げ動作についての判定精度を更に向上させることができる。
【００２２】
上記［３］に記載の在床情報管理システムは更に次の効果を奏する。
背上げ判定手段の第２条件は、上述したように被験者の背上げ動作が遅い場合に適する背上げ判定条件である。しかるに、このように背上げ動作が遅い場合は、頭側荷重値の減少率は比較的小さく、背上げ判定について誤判定を生じ易い。一方、第３及び第４荷重検出センサにより検出された荷重値を合計した足側荷重値は、被験者の背上げ動作に伴って増加する。
【００２３】
そこで、第２条件では、頭側荷重値の減少率だけではなく足側荷重値の増加率についても背上げ判定の条件に追加している。すなわち、背上げ判定手段の第２条件として、頭側荷重値の減少率がα２以上であり且つ現時刻からｔ２時間前の足側荷重値に対する現時刻の足側荷重値の増加率がα３（但し０＜α３≦α２）以上である状態がβ２時間以上継続しているという条件を採用している。こうすることにより、背上げ動作（特に、遅い背上げ動作）についての判定精度を更に向上させることができる。ここで、もしα３をα２よりも大きく設定する（即ち、α３＞α２）と、背上げ判定のタイミングが遅くなり、背上げ動作に追従した判定が困難になる。そこで、α３を「α３≦α２」と設定する。こうすることにより、背上げ判定のタイミングを速くし得て、背上げ動作に追従した判定を確実に行うことができる。
【００２４】
上記［４］に記載の在床情報管理システムは更に次の効果を奏する。
背上げ判定手段は、現時刻からｔ１時間前の総荷重値と現時刻の総荷重値との差の絶対値が臥床時総荷重値の１／ａ（但し１＜ａ）倍以下であるか否かを判定し、当該差の絶対値が臥床時総荷重値の１／ａ倍以下であると判定した場合、第１条件と第２条件とのうち少なくとも一方を満足しているか否かを判定する。したがって、当該差の絶対値が臥床時総荷重値の１／ａ倍以下であるといった総荷重値の変動が比較的小さい場合にのみ、第１条件と第２条件とのうち少なくとも一方を満足しているか否かを判定できるから、臥床判定手段で被験者がベッド寝床部上に臥床したと判定された後で背上げ動作に関係のない大きな総荷重値の変動があった場合（例えば、被験者が臥床したと判定された後でベッド寝床部上に大きな重量物が載置されることで総荷重値の変動が大きくなった場合や、ベッド寝床部上に載置されていた大きな重量物が被験者が臥床したと判定された後で取り除かされることで総荷重値の変動が大きくなった場合）を排除することができ、これにより、背上げ動作についての判定精度を更に向上させることができる。なお、１／ａの値が１以上（即ち、ａ≦１）であることは非常に大きな総荷重値の変動（例えば、被験者が離床した場合や、他人がベッド寝床部上に乗った場合や、柵がベッドに取り付けられた場合）があったと考えられ正確な背上げ判定が困難になるので、１／ａの値は１よりも小さい（即ち、１＜ａ）とする。
【００２５】
上記［５］に記載の在床情報管理システムによれば、背上げ判定手段は、差の絶対値が臥床時総荷重値の１／ａ倍以下ではないと判定した場合、臥床判定手段を再実行させる。これにより、背上げ動作についての判定精度を更に向上させることができる。
【００２６】
上記［６］に記載の在床情報管理システムによれば、ｔ１がｔ１＜ｔ２の関係を満足していることにより、第１条件で用いた頭側荷重値の減少率を第２条件よりも直近の背上げ動作に確実に対応させることができる。これにより、第１条件が背上げ動作が速い場合の背上げ判定条件に更に適するものとなる。したがって、被験者の背上げ動作についてその速さに確実に追従して判定することができ、これにより、被験者の背上げ動作を更に確実に検知することができるし、背上げ動作が速い場合は背上げ動作が遅い場合よりも確実に早期に検知することができる。
【００２７】
上記［７］に記載の在床情報管理システムによれば、β１がβ１≦β２×（３／５）の関係を満足していることにより、第１条件が背上げ動作が速い場合の背上げ判定条件に更に一層適するものとなる。したがって、被験者の背上げ動作についてその速さに更に確実に追従して判定することができ、これにより、被験者の背上げ動作を更に確実に検知することができるし、背上げ動作が速い場合は背上げ動作が遅い場合よりも更に確実に早期に検知することができる。
【００２８】
上記［８］に記載のプログラムは、それぞれ上記［１］〜［７］に記載の在床情報管理システムに好適に用いることができる。
【図面の簡単な説明】
【００２９】
【図１】図１は、本発明の一実施形態に係るベッドの在床情報管理システムにおける在床状況検知装置を示す概略図である。
【図２】図２は、ベッドの概略平面図である。
【図３】図３は、同検知装置の構成を示すブロック図である。
【図４】図４は、同検知装置の基本的な動作を示す主フローチャートである。
【図５】図５は、図４に示した背上げ判定工程の詳細を示すフローチャートである。
【図６】図６は、ベッド寝床部上の仰臥姿勢のベッド使用者が背上げ動作をした状態を示すベッドの概略平面図である。
【図７】図７は、使用者が背上げ動作をした場合における頭側荷重値（頭側出力値）の時間的変動の一例を示すグラフである。
【図８】図８は、使用者が背上げ動作をした場合における足側荷重値（足側出力値）の時間的変動の一例を示すグラフである。
【図９】図９は、使用者が背上げ動作をし且つ背上げ判定工程の第１条件を適用する場合における、頭側荷重値の減少率についての時間的変動の一例を示すグラフである。
【図１０】図１０は、使用者が背上げ動作をし且つ背上げ判定工程の第２条件を適用する場合における、頭側荷重値の減少率及び足側荷重値の増加率についての時間的変動の一例を示すグラフである。
【図１１】図１１は、同在床情報管理システムの概略図である。
【図１２】図１２は、同在床情報管理システムの構成を示すブロック図である。
【図１３】図１３は、同在床情報管理システムにおける多機能端末のハードウェア構成を示すブロック図である。
【図１４】図１４は、同在床情報管理システムにおけるデータセット記録手段への記録内容の一例を示す図である。
【図１５】図１５は、同在床情報管理システムにおける多機能端末のアプリケーション実行結果の表示一例を示す図である。
【図１６】図１６は、同在床情報管理システムにおける在床状況検知装置のコントローラの斜視図である。
【図１７】図１７は、多機能報知手段の基本的な動作を示す主フローチャートである。
【発明を実施するための形態】
【００３０】
次に、本発明の一実施形態について図面を参照して以下に説明する。なお本実施形態において、１ｋｇｆは９．８Ｎであるとする。
【００３１】
図１１に示すように、本発明の一実施形態に係る在床情報管理システム１１０１は、ベッドの寝床部上の被験者Ｕの在床状況に関する情報を管理するものであり、医療施設（例：病院）、介護施設、高齢者施設、一般家庭等で使用されるものである。本実施形態では、在床情報管理システム１１０１は例えば医療施設に用いられており、例えば以下のような構成をしている。図１１、図１２に沿って説明する。
【００３２】
＜システム全体＞
本実施形態のシステム１１０１は、ＩＰアドレスを付与された在床状況検知装置１１０２、在床状況情報処理センタのコンピュータ１１０３、多機能端末１１０４、及びそれらの間を繋ぐ通信網１１０６（例えばＬＡＮ、電話通信網および／又はインターネットシステム）を有している。
【００３３】
＜在床状況検知装置１１０２の概略説明＞
図１２に示すように、本実施形態の在床状況検知装置１１０２は、本実施形態のシステム１１０１を構成する荷重検出手段１２０２、制御手段１２０３、閾値記憶制御手段１２１１、時刻計測手段１２０７、データセット記録制御手段１２０５、データセット記録手段１２０４、イベント表示制御手段１２０８を有している。これらのうち荷重検出手段１２０２（１６０３）以外はコントローラ１２０１に搭載されている。また、制御手段１２０３は、図３に示すように判定手段１１、動作モード選択手段３、臥床時総荷重値記憶手段５、荷重値データ記憶手段６、報知手段９、閾値記憶手段１０を有する。図１２に示すように、閾値記憶手段１０の内容（閾値）は閾値記憶制御手段１２１１によって書き換えることができるようになっているが、閾値記憶手段１０の内容を書き換えない場合はこれを省略することが可能である。また、イベント表示制御手段１２０８については、イベント情報を必要としない場合は、イベント表示制御手段１２０８は省略することが可能である。
【００３４】
在床状況検知装置１１０２は、後に説明するように、被験者Ｕが臥床するための寝床としてのベッド寝床部２１に掛かっている荷重を検出する荷重検出手段１２０２である複数個の荷重検出センサ（例えばロードセル式）１Ａ〜１Ｄ、信号増幅・処理回路、A/D変換回路、CPU、RAM、および書き換え可能なROM（EEPROM、FEPROM等）を備えており、所定の周期でセンサ１Ａ〜１Ｄから送信されてくる荷重値Ｗ１〜Ｗ４を基に被験者Ｕの在床状況を判定手段１１によって判定し、荷重値が送信されてくるタイミングに同期したタイミングで送信された荷重値などとともにその判定結果をデータセットの形でデータセット記録制御手段１２０５によってデータセット記録部１２０４に記録保存する。データセットがデータセット記録部１２０４に記録保存されると、その記録内容は通信手段１１０５（例えば携帯電話）に送られ、通信手段１１０５によってインターネットなどの通信網１１０６を介して在床状況情報処理センタのコンピュータ１１０３に送信される。
【００３５】
図３に示すように、在床状況を判定する判定手段１１として、例えば被験者Ｕが臥床状態であることを判定する臥床判定手段４、被験者Ｕが背上げ動作をしたと判定する背上げ判定手段７、被験者Ｕが離床動作をしたと判定する離床判定手段８を挙げることができる。背上げ判定を、離床動作の予備的動作として意味づけて「離床予知判定」とすることも可能である。
【００３６】
＜在床状況情報処理センタのコンピュータ１１０３の説明＞
在床状況情報処理センタのコンピュータ１１０３には、報知手段１２４４を搭載した多機能端末１１０４にウェブ画面を提供するウェブサーバ１１０７、データベースサーバ１１０８および解析サーバ１１０９が備えられる。これらのサーバは、コンピュータ・システムで構成されるので、ハードウェアとしては、処理能力に応じて１台または複数台の小型・中型または大型のコンピュータで構成することもできる。
また、在床状況情報処理センタは、病院などの物理的な固定設備に設けるだけでなく、インターネット上の仮想サーバシステムとして構成しても良い。
図１１は、機能ごとにコンピュータが設置されているものとして表現している。
ここで本実施形態では、多機能端末１１０４に搭載された報知手段１２４４を「多機能報知手段１２２４」とも称する。
【００３７】
ウェブサーバ１１０７には、多機能端末１１０４からの要求に対応して送信するウェブ画面の作成処理のプログラム、画面作成に必要なデータをデータベースサーバから入手するプログラムなどが格納されている。
【００３８】
例えば、ウェブサーバ１１０７に搭載された報知画面制御手段１２２９は、受信したデータセットの項目「判定基準」（判定に適用した判定手段の名称）にデータ値がある場合はアラート信号送信が必要と判断し、インターネット等の通信網１１０６を介して多機能端末１１０４へ、判定基準（判定に適用した判定手段の名称）のデータ値をアラート信号として送信し、データセット及び／または総合判定手段１２２６による判定結果を、予め準備された様式に編集して送信、または多機能端末１１０４からの要求に応じて在床情報として送信する。
【００３９】
データベースサーバ１１０８には、データセット蓄積手段１２１５、データセット蓄積制御手段１２１６、総合判定蓄積手段１２２８が搭載されている。データベースサーバ１１０８には、送信されてきたデータセット及び／または総合判定手段１２２６による総合判定結果が、別途入力され保存された登録リスト（被験者識別情報である利用者氏名、在床状況検知装置１１０２のＩＰアドレス、さらに好ましくは病院名（または施設名）、被験者の生年月日。）と関連付けられて個人データとしてデータベースに格納されている。個人データは、被験者識別情報を検索キーとしてデータベースに蓄積され格納されている。
【００４０】
例えばデータベースサーバ１１０８に搭載されたデータセット蓄積制御手段１２１６は、データセット蓄積手段１２１５であるデータセット蓄積部、書込み制御部（図示せず）等を有するもので、データセット蓄積制御手段１２１６は、在床状況検知装置１１０２からデータセットを受信したときにデータセットをデータセット蓄積手段１２１５に蓄積する。
【００４１】
解析サーバ１１０９には、データベースサーバ１１０８のデータベースに格納されたデータを基に後述する学習手段１２２０、総合判定手段１２２６、総合判定蓄積制御手段１２２７を実行するためのソフトウェアが格納されている。
【００４２】
＜在床状況情報処理センタの学習機能の説明＞
解析サーバ１１０９に搭載された、学習手段１２２０を説明する。
学習手段１２２０は、データベースに格納されたデータを用いた統計解析により在床状況を解析するソフトウェアから構成されている解析手段１２２１、その解析結果を記憶保存する解析結果記憶手段１２２２を有している。
【００４３】
データセット蓄積部１２１５に記録蓄積されたデータセットのデータを用いた統計解析とは、各種データの統計量の算出、各種データの経時的変化量の算出、各種データ間の相関関係解析、各種データ間の多変量解析、各種データ間の因果関係解析、さらに各種データからのイベント予測、から選ばれる１種または２種以上を組み合わせた解析処理である。
【００４４】
解析手段１２２１の解析処理内容の例を説明する。
（ａ）睡眠パターン学習
解析手段１２２１は「睡眠パターン学習」として以下の処理を実行する。
（１）蓄積されたデータセットから任意の所定の期間（例えば1週間）の臥床時刻、起床時刻、睡眠時間を抽出する。ここで、データベースにデータセットの形で蓄積されている、臥床判定手段４により臥床判定をした時刻を臥床時刻、離床判定手段８により離床判定をした時刻を起床時刻とし、臥床時刻から起床時刻までの間を睡眠時間とする。臥床時刻は午後6時以降に一番初めに臥床判定をした時刻とする。起床時刻は午前10時までで一番遅く離床判定をした時刻とする。なお、睡眠時間中に判定された離床判定、臥床判定には、イベント情報（例えば「オムツ交換」、「トイレ誘導」、「徘徊」、「起床」及び「その他」）が関連付けられている。
（２）抽出された臥床時刻から所定期間（例えば1週間）における臥床平均時刻、最早臥床時刻、最遅臥床時刻を計算し、更に、抽出された起床時刻から所定期間（例えば1週間）における起床平均時刻、最早起床時刻、最遅起床時刻を計算し、更に、抽出された睡眠時間から所定期間（例えば1週間）における平均睡眠時間、最小睡眠時間、最大睡眠時間を計算する。抽出期間は、1週間ではなくても蓄積している分全てでも良く、任意に指定した曜日ごとでも良い。
（３）臥床平均時刻、最早臥床時刻、最遅臥床時刻、起床平均時刻、最早起床時刻、最遅起床時刻、平均睡眠時間、最小睡眠時間、最大睡眠時間を、被験者識別情報と関連付けた形でデータセット（学習睡眠パターン）として解析結果記憶手段１２２２に記憶保存する。
【００４５】
（ｂ）予知精度向上学習
解析手段１２２１は「予知精度向上学習」として以下の処理を実行する。
（１）蓄積されたデータセットから任意の所定の期間（例えば1週間）の背上げ判定時刻と離床時刻を抽出する。ここで、データベースにデータセットの形で蓄積されている、背上げ判定手段７により背上げ判定をした時刻を起き上り時刻、離床判定手段８により離床判定をした時刻を起床時刻とする。
（２）起き上り判定時刻と起床時刻の時間差を計算する。
（３）「時間差（起床時刻−起き上り判定時刻）」が所定の範囲（例えば30秒から5分の間）であれば判定精度は「良い」と判定し、３０秒未満の場合は、「早い」（被験者Ｕの動作が速い）と判定し、５分を超えた場合は「遅い」（被験者Ｕの動作が遅い）と判定する。
（４）この判定結果を判定時刻とともに被験者識別情報と関連付けた形でデータセット（予知精度向上学習）として解析結果記憶手段１２２２に記憶保存する。
（５）例えば、多機能端末1104により閾値調整モードがオンに選択されていた場合、解析結果記憶手段１２２２に判定結果が記憶保存されると、制御手段１２０３の閾値記憶手段１０（図３参照）に記憶されている各種判定手段１１の判定式に用いられるパラメータ（閾値など）を補正値に書き換える制御を実行して、判定結果が「良い」になるまで、処理を繰り返す。
【００４６】
例えば、判定結果が「早い」の場合、学習手段１２２０から閾値記憶制御手段１２１１を介して、背上げ判定手段７の後述する判定式（４）の減少率α１の値、継続時間β１の値を各々５％下げた補正後の値、または後述する式（５ａ）（５ｂ）の減少率α２の値、継続時間β２の値、増加率α３の値、継続時間β３の値を各々５％下げた補正後の値を閾値記憶制御手段１２１１に送信して書き換える制御をする。被験者Ｕを介護（介助を含む。）する介護者としての看護師が被験者Ｕのベッドまで行くために許される時間が短いために、判定を早くすることで看護師が被験者Ｕの看護（介護）を行うための在床情報の提供タイミングを最適な状態にすることができる。
【００４７】
また判定結果が「遅い」の場合、式（４）の減少率α１の値、継続時間β１の値を各々５％上げた補正後の値、または式（５ａ）（５ｂ）の減少率α２の値、継続時間β２の値、増加率α３の値、継続時間β３の値を各々５％上げた補正後の値を閾値記憶制御手段１２１１に送信して書き換える制御をする。看護師が被験者Ｕのベッドに行っても被験者Ｕが起き上り動作（背上げ動作）をしていないので、判定を遅くすることで看護師が被験者Ｕの看護（介護）を行うための在床情報の提供タイミングを最適な状態にすることができる。
【００４８】
＜解析サーバ１１０９に搭載された、総合判定手段１２２６、総合判定蓄積制御手段１２２７、総合判定蓄積手段１２２８＞
総合判定手段１２２６は、総合判定として例えば以下の処理を実行する。
上記の学習手段１２２０で得られた結果を判定基準値とし、データセット記録手段１２０４からリアルタイムで送信されてくる荷重値データセット荷重値の評価をして総合判定することができる。例えば、解析手段１２２１で得られたこの学習睡眠パターン情報の臥床平均時刻と特定の時刻に送信されてきた被験者Ｕの臥床判定時刻とを比較して被験者Ｕの臥床時刻が臥床平均時刻よりも例えば1時間以上遅い場合、報知画面制御手段１２２９を介して多機能報知手段１２４４に、判定基準を超えた情報として「起床注意」をアラート信号として送信する。
【００４９】
または解析手段１２２１で得られたこの学習睡眠パターン情報の起床平均時刻と特定の時刻に送信されてきた被験者Ｕの離床判定の判定時刻から推定される起床時刻とを比較して被験者Ｕの起床時刻が例えば1時間以上遅い場合に、報知画面制御手段１２２９を介して多機能報知手段１２４４に判定基準を超えた情報として「離床注意」をアラート信号として送信する。
【００５０】
解析サーバ１１０９に搭載された、総合判定蓄積制御手段１２２７は、総合判定手段１２２６で判定された結果を総合判定蓄積手段１２２８に記憶蓄積する。
【００５１】
＜多機能端末１１０４の説明＞
多機能報知手段１２４４の一例として多機能端末１１０４である携帯電話機、スマートフォンまたはタブレット端末を使用している。多機能端末１１０４は、図１３に示すようにＣＰＵ１３１１、メモリ１３１２、ディスプレイ１３１３、スピーカ１３１４、キーパッド１３１５、及び通信モジュール１３１９を備えている。これらの各構成部は、バス１３２０に接続されている。
【００５２】
例えばモータ１３２１がＣＰＵ１３１１に接続されていてもよい。モータ１３２１によって、アラート信号受信時に多機能端末１１０４を振動させることができる。
【００５３】
ディスプレイ１３１３は、ＣＰＵ１３１１による種々のプログラムの実行結果を文字や画像で表示する。スピーカ１３１４は、ＣＰＵ１３１１による種々のプログラムの実行結果や通話内容を音声にして出力する。キーパッド１３１５は、多機能端末の使用者からのキー操作による入力を受け付ける。
【００５４】
通信モジュール１３１９は、無線通信により携帯電話システムの基地局との間で通信をし本実施形態のシステムに接続する。また、通信モジュール１３１９は、無線通信によりＷｉ−Ｆｉシステム（Ｗｉｒｅｌｅｓｓ  Ｆｉｄｅｌｉｔｙ、Ｗｉ−Ｆｉは登録商標）のアクセスポイントとの間で通信をしてもよい。
【００５５】
多機能端末１１０４は多機能報知手段１２４４として、被験者Ｕの在床に関する情報を音、光、文字等で報知対象者である多機能端末操作者に報知するものである。報知対象者とは、被験者Ｕを監視している監視者、被験者Ｕを介護（介助を含む。）する介護者（例：看護師、被験者の家族、親類）などである。本実施形態では、報知対象者は例えば介護者（看護師）とする。この多機能報知手段１２４４は、介護者がいる場所（例：ナースステーション、介護者の詰め所）などに設置される。本実施形態では、多機能報知手段１２４４は例えばナースステーションに設置されている。また、被験者Ｕの在床に関する情報とは、被験者Ｕが各種行動をしたという情報などである。
【００５６】
報知スピーカ１３１４は、被験者Ｕの在床に関する情報を音声やアラーム音で報知するものであり、本実施形態では、アラート信号を受信した時にアラーム音を「アラート信号受信」として報知する。ディスプレイ１３１３は、在床に関する情報を文字、記号、図等の表示により画面表示またはそれらの点滅等で報知するものである。
【００５７】
多機能端末１１０４では、ＣＰＵ１３１１が、後述する表示・報告を実現するアプリケーションプログラムを例えばメモリ１３１２から読み出して実行することにより、表示・報知手段が実現される。
【００５８】
なお、このアプリケーションプログラムは、必ずしもメモリ１３１２に記憶されている必要はなく、ＣＤ−ＲＯＭ等の記憶媒体に記憶されたこのアプリケーションプログラムを多機能端末１１０４が読み出して実行するようにしてもよい。また、公衆回線、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等を介して携帯端末（多機能端末１１０４）に接続される、例えば在床状況情報処理センタのコンピュータ１１０３の解析サーバ１１０９またはその他コンピュータ（またはサーバ）にこのアプリケーションプログラムを記憶させておいてもよい。この場合には多機能端末１１０４が通信網１１０６を介してこれらからアプリケーションプログラムを読み出して実行する。
【００５９】
＜多機能端末１１０４の表示・報告を実現するアプリケーションプログラムの説明＞
前記在床情報管理システム１１０１において、多機能端末１１０４は、インターネットを含むコンピュータネットワークを介したクライアントコンピュータとして機能している。
【００６０】
本プログラムは多機能端末１１０４に搭載（インストール）され、被験者Ｕの識別情報をキーとした在床情報を格納したデータベースを有する在床状況情報処理センタのサーバシステム上に準備された在床情報に対する、多機能端末１１０４からのアクセス処理を提供するプログラムである。
【００６１】
アプリケーションプログラムの実行により、クライアントコンピュータである多機能端末１１０４は、サーバシステムを識別するＵＲＬを送信することにより識別情報の要求処理を実行し、更に、クライアントコンピュータである多機能端末１１０４は、サーバシステム上に準備され且つＵＲＬにより識別されたページを表示する処理を実行する。
【００６２】
ここで、サーバシステム上に準備されたＵＲＬにより識別されたページとは、在床情報であって、例えば、多機能端末１１０４から指定された被験者Ｕの識別情報を基に特定された、在床状況情報処理センタのデータベースのデータ（データセットの形式で発生時刻（判定時刻）と関連付けられた、判定基準、荷重値、ステータス、イベントなど）を、要求に合わせて編集したウェブ画面データである。
【００６３】
＜アプリケーション実行結果の表示例の説明＞
多機能端末１１０４の表示・報告を実現するアプリケーションプログラムを実行したときの表示・動作の一例を図１７、図１５（ａ）〜（ｅ）に沿って説明する。
本実施形態のシステムを使用する際には予めアプリケーションプログラムを起動させておく。
【００６４】
図１５（ａ）は、多機能端末操作者により所定のアプリケーションがインストールされ、起動された該アプリケーションプログラムにより、そのメイン画面表示処理ステップ（ＳＳＴＰ１）が実行された時のメイン画面である。
表示上部中央部１５０３には画面の操作モード（メイン画面では「メイン」と表示されている。）が表示されている。
【００６５】
表示上部の左には、画面表示がタッチされることでひとつ前の画面状態に戻る処理が実行されるボタン（「戻る」と表示。）１５０２が表示され、右には画面表示にタッチすることでメイン画面表示処理に戻る処理が実行されるボタン（「Ｍｅｎｕ」と表示）１５０４が表示されている。
表示画面の表示部１５０１には画面表示がタッチされることで実行される処理が選択される各種ボタンが表示される。
【００６６】
図では「利用者名」処理として、後述する「登録処理」で予め設定されている被験者Ｕの氏名の一覧がまず表示され、一覧の中からタッチされた氏名が選択された氏名として表示される。なお、この「利用者名」選択処理は、画面（ｄ）（ｅ）でも同様な処理である。
【００６７】
選択された利用者名は多機能端末１１０４上に被験者識別情報として仮に保存され、後述するウェブページ閲覧処理において在床状況情報処理センタのコンピュータ１１０３へ被験者識別情報として送られ、送られた被験者識別情報は在床状況情報処理センタのコンピュータ１１０３においてウェブページを編集する際に使用するデータをデータベースから検索するキーとして使用される。
【００６８】
さらに図では「選択項目」として「利用者状態」、「アラート履歴」、「設定」のボタンが表示され、ボタンがタッチされると、図１７のフローにおいて各分岐が「ＹＥＳ」となり、それぞれに対応した処理ステップが実行される。
【００６９】
図１５（ｂ）は、データセット蓄積制御手段１２１６から送信されたアラート信号を多機能端末１１０４が受信している時に、アプリケーションプログラムによりアラート表示処理ステップ（ＳＳＴＰ３）が実行されて、その結果、表示される画面である。表示上部中央部１５０３には「アラート発生」と表示されている。
【００７０】
さらに表示部１５０１に「アラート発生中」と表示するとともに、在床情報として予め準備された様式にウェブサーバで準備された画面（例えば、「発生日時」「判定基準」。）を表示する。「Ｍｅｎｕ」ボタンがタッチされると表示は消去されてメイン画面となる。
【００７１】
図１５（ｃ）は、操作者により「設定」ボタン１５０８がタッチされたときに実行される利用者登録処理ステップ（ＳＳＴＰ２）が実行されたときに表示される画面である。表示上部中央部１５１２には「設定」と表示される。
【００７２】
表示部１５０１に表示される画面は、予め別途準備されている、検知装置１１０２のＩＰアドレスとその検知装置１１０２の検知対象者である被験者氏名のリストの情報とがキーパッドにより入力されている状態を表示しているモニター表示（１５１４）画面である。入力が完了されたモニター表示がタッチされることで、検知装置１１０２のＩＰアドレスとその検知装置１１０２の検知対象者である被験者氏名とが選択され、その状態で「登録」ボタン１５１３がタッチされると、選択されたＩＰアドレスと被験者氏名が関連付けられて「登録リスト」に保存され、登録されたＩＰアドレスと被験者氏名はモニター画面上で表示が反転されて登録済であること判別できるようになる。「登録リスト」は、作業中は多機能端末１１０４に仮保存され、Ｍｅｎｕボタン１５０４を押してメイン画面が表示されることで、在床状況情報処理センタのコンピュータ上に転送されて保存される。なお利用者登録処理ステップ（ＳＳＴＰ２）が実行されたときに、保存された登録リストを多機能端末１１０４から在床状況情報処理センタのコンピュータに要求して、転送されたリストをモニター表示（１５１４）し、そのリストから登録被験者が選択されるようにすることが可能である。病院名（または施設名）、被験者の生年月日を登録リストの項目として入力、登録の対象としても良い。「Ｍｅｎｕ」ボタン１５０４がタッチされると表示は消去されてメイン画面となる。
【００７３】
図１５（ｄ）は、操作者により「利用者状態」ボタン１５０６がタッチされたときに実行されるウェブページ閲覧処理ステップ（ＳＳＴＰ４）が実行されたときに表示される画面である。表示上部中央部１５１５には「利用者状態」と表示さる。
【００７４】
表示部１５０１に表示される画面は、サーバにセット形式で蓄積されているデータから被験者識別情報をキーとして選択されたデータから得られた現時点の被験者Ｕのステータス情報（１５１６）、および荷重値より演算された重心位置をもとに被験者Ｕのベッド寝床部２１上の位置を表示する画面（１５１７）を用いて編集された在床情報としてウェブサーバ上に準備され、送られた画面である。「Ｍｅｎｕ」ボタン１５０４がタッチされると表示は消去されてメイン画面となる。
【００７５】
図１５（ｅ）は、操作者により「アラート履歴」ボタンがタッチされたときに実行される上記とは別のウェブページ閲覧処理ステップ（ＳＳＴＰ５）が実行されたときに表示される画面である。表示上部中央部１５１８には「アラート履歴」と表示されている。
【００７６】
表示部１５０１に表示される画面は、サーバにセット形式で蓄積されているデータから被験者識別情報をキーとしてとして選択されたデータから得られた現時点から所定の期間過去に遡った発生（判定）時刻情報、判定基準情報のデータセットを基に、在床情報としてウェブサーバ上に準備され、送られた画面である。画面上にはデータセットの形（１５１９）で表示される。「Ｍｅｎｕ」ボタン１５０４がタッチされると表示は消去されてメイン画面となる。
【００７７】
＜在床状況検知装置の詳細説明＞
本発明の一実施形態を構成するベッドの在床状況検知装置１５（１１０２）は、図１に示すように、ベッド２０の寝床部２１上におけるベッド使用者（被験者）Ｕの在床状況を検知するものである。在床状況としては、臥床、背上げ動作、離床、ベッド寝床部２１上の使用者Ｕの重心位置Ｇ等が挙げられる。
【００７８】
「時刻計測手段」
時刻計測手段１２０７は、荷重検出手段１２０２（各荷重検出センサ１Ａ〜１Ｄ）により荷重値を検出した時刻、各種判定手段１１により使用者（被験者）Ｕが各種行動をしたと判定された時刻、通信手段１２０６（１１０５）により送信された時刻などを計測するものであり、例えば水晶発振式時計からなる。なお、時刻計測手段１２０７により計測される時刻は、日付（年月日）を含む。よって、本実施形態では「日時」とも記載されている。
【００７９】
「イベント選択処理」
データセット記録部１２０４に記録するデータにイベント情報を追加することで、睡眠時間中に離床判定した際に、離床した理由の行動情報を他の情報と関連付けておくことができるため好ましい。選択できるイベントは例えば「オムツ交換」、「トイレ誘導」、「徘徊」、「起床」及び「その他」が示されており、その中から選択する。以下に、イベント情報を追加するイベント選択処理について説明する。
【００８０】
図１６に示す、コントローラ１６０３（１２０１）には、制御手段１２０３が搭載されるとともに、更にイベント表示制御手段１２０８が搭載されている。
【００８１】
イベント表示制御手段１２０８は、複数のイベントＥの中から１つのイベントが選択されたか否かを判定するイベント選択判定手段１２０９と、表示部１６２２に複数のイベントＥが表示されてから所定時間が経過したか否かを判定する経過時間判定手段１２１０を有している。所定時間は、例えば０．５〜１０分の範囲内における予め設定された時間であり、具体的には例えば１０分であり、イベント表示制御手段１２０８に予め記憶されている。この経過時間判定手段１２１０により所定時間が経過したと判定された場合、表示部１６２２において複数のイベントＥの表示が消される。
【００８２】
選択手段１６２３は、表示部１６２２に表示された複数のイベントＥの中から適切なイベントを選択するためのものであり、コントローラ１６０３（１２０１）の操作面の下部に設けられた複数の選択ボタンを有している。複数の選択ボタンのうち「右足・↓」ボタン１６２３ａは、表示部１６２２に表示された複数のイベントＥのうち一つのイベントを指示するカーソル１６２３ｃを下に移動させるためのものである。カーソル１６２３ｃで指示されたイベントＥは網掛け状態となる。介護者が「右足・↓」ボタン１６２３ａを押すと、カーソル１６２３ｃは下へ移動される。介護者が「ＹＥＳ」ボタン１６２３ｂを押すと、複数のイベントＥのうちカーソル１６２３ｃで指示されたイベントＥ１が選択決定される。なお、カーソル１６２３ｃが一番下のイベント（即ち「その他」）を指示している状態で「右足・↓」ボタン１６２３ａを押すと、カーソル１６２３ｃは一番上のイベント（即ち「オムツ交換」）へ戻って当該イベントを指示する。
選択されたイベントはデータセット記録制御手段１２０５へ送られデータセット記録手段１２０４に他の情報と関連付けられて記録される。
【００８３】
「データセット記録制御手段１２０５」
データセット記録制御手段１２０５は、データセット記録手段であるデータセット記録部１２０４、書込み制御部等を有するものであり、所定時間毎に時刻と荷重値とをデータセット記録部１２０４に記録させるとともに、更に、制御手段１２０３の各種判定手段１１により被験者Ｕが各種行動をしたと判定された時刻と、荷重値と、被験者Ｕの状態（ステータス）と、判定基準（判定に適用した判定手段の名称）と、選択されたイベントＥ１とを、互いに関連付けてデータセット記録部１２０４に記録させるように構成されている。
図１４は、データセット記録制御手段１２０５によりデータセット記録手段１２０４に記録された記録内容を表形式で示した図である。
【００８４】
データセット記録手段１２０４に記録される荷重値の単位は「ｋｇ」である。ただし本発明では、データセット記録手段１２０４に記録される荷重値は、その他に例えば、各荷重検出センサ１Ａ〜１Ｄにより検出された荷重値に対応する電圧値であっても良い。
【００８５】
同図において、ステータス欄１４３１は、被験者Ｕの状態を示す欄であり、この欄１４３１には、各種判定手段１１により被験者Ｕが臥床行動をしていると判定された場合には「臥床」と記録され、被験者Ｕが離床行動をしたと判定された場合には「離床」と記録される。
【００８６】
判定基準欄１４３２は、判定結果のアラート信号に用いる情報を記録する欄であって各種行動の判定に適用した判定手段４、７、８の名称が記録される欄である。すなわち、この欄１４３２には、例えば背上げ判定手段７により背上げ判定がされた場合であれば「背上げ」、離床判定手段８により離床判定がされた場合であれば「離床」が記録される。
【００８７】
イベント欄１４３３は、選択されたイベントＥ１が記録される欄である。すなわち、この欄１４３３には、「オムツ交換」、「トイレ誘導」、「徘徊」、「起床」及び「その他」のうちいずれか１つが記録される。なお複数のイベントＥの中から何らイベントが選択されなかった場合には、判定基準欄１４３２とイベント欄１４３３はそれぞれ空欄となる。
【００８８】
同図に示すように、データセット記録手段１２０４には、各種判定手段１１により被験者Ｕが各種行動をしたと判定された時刻と、荷重値と、被験者Ｕの状態（ステータス）と、判定基準（判定に適用した判定手段の名称）と、選択されたイベントＥ１とが、互いに関連付けて、すなわちデータセットの形で記録される。
【００８９】
「在床状況検知装置の荷重検出手段１２０２、臥床判定、背上げ判定と離床予知判定の説明」
図１に示すように、ベッド２０は、医療施設（例：病院）、高齢者施設、介護施設、一般家庭等で用いられるものであり、一般的に、寝室（病室を含む）等の部屋内におけるベッド設置面としての床面２５上に設置されるものである。ベッド２０の寝床部２１は、平面視方形状（詳述すると長方形状）である（図２参照）。そして、ベッド２０の４個の脚部としての頭側右脚部２２Ａ、頭側左脚部２２Ｂ、足側右脚部２２Ｃ及び足側左脚部２２Ｄによってベッド寝床部２１が下方から略水平状に支持されている。各脚部２２Ａ〜２２Ｄの下端部には、ベッド２０が床面２５上をスムーズに移動できるようにするためのベッド移動用キャスタ２３が固定状態に設けられている。ベッド寝床部２１上にはベッド使用者Ｕが就寝などのために臥床する。使用者Ｕとしては、高齢者、病人、健康人等が挙げられる。
【００９０】
本実施形態では、ベッド寝床部２１上に使用者Ｕが仰臥姿勢で臥床した状態において、使用者Ｕの右側、左側、頭側及び足側を、それぞれベッド寝床部２１の右側、左側、頭側及び足側という。
【００９１】
本実施形態のベッドの在床状況検知装置１５（１１０２）は、図１に示すように、荷重検出手段１２０２に備えられた４個の荷重検出センサ１Ａ〜１Ｄ、制御手段２（１２０３）などを具備している。
【００９２】
各荷重検出センサ１Ａ〜１Ｄは、例えば公知のロードセル式のものであり、また特開２００６−３０２２６６号公報、特開２００７−１６７４９２号公報、特開２００８−１２２０２号公報などに開示されているものであって、ベッド寝床部２１の各脚部２２Ａ〜２２Ｄと床面２５との間に配置されている。これらの荷重検出センサ１Ａ〜１Ｄにおいて、頭側右脚部２２Ａと床面２５との間に配置された荷重検出センサ（これを「第１荷重検出センサ１Ａ」という）は、ベッド寝床部２１の頭側右部に掛かる荷重を検出するものである。頭側左脚部２２Ｂと床面２５との間に配置された荷重検出センサ（これを「第２荷重検出センサ１Ｂ」という）は、ベッド寝床部２１の頭側左部に掛かる荷重を検出するものである。足側右脚部２２Ｃと床面２５との間に配置された荷重検出センサ（これを「第３荷重検出センサ１Ｃ」という）は、ベッド寝床部２１の足側右部に掛かる荷重を検出するものである。足側左脚部２２Ｄと床面２５との間に配置された荷重検出センサ（これを「第４荷重検出センサ１Ｄ」という）は、ベッド寝床部２１の足側左部に掛かる荷重を検出するものである。
【００９３】
各荷重検出センサ１Ａ〜１Ｄは、互いに同一構成のものであり、その上面に設けられた荷重受け面上にベッド２０の対応する脚部２２Ａ〜２２Ｄが載置されることでベッド寝床部２１の対応する部位に掛かる荷重を所定の検出周期毎に検出するものである。そして、各荷重検出センサ１Ａ〜１Ｄからは、ベッド寝床部２１の対応する部位に掛かる荷重に対応する荷重値が出力値として荷重検出センサの検出周期毎に出力される。すなわち、第１荷重検出センサ１Ａからは、ベッド寝床部２１の頭側右部に掛かる荷重に対応する荷重値が出力値として検出周期毎に出力される。第２荷重検出センサ１Ｂからは、ベッド寝床部２１の頭側左部に掛かる荷重に対応する荷重値が出力値として検出周期毎に出力される。第３荷重検出センサ１Ｃからは、ベッド寝床部２１の足側右部に掛かる荷重に対応する荷重値が出力値として検出周期毎に出力される。第４荷重検出センサ１Ｄからは、ベッド寝床部２１の足側左部に掛かる荷重に対応する荷重値が出力値として検出周期毎に出力される。
【００９４】
ここで本発明では、荷重検出センサの検出周期は限定されるものではないが、０．００５〜１秒の範囲に設定されるのが望ましい。本実施形態では、検出周期は０．５秒としている。
【００９５】
各荷重検出センサ１Ａ〜１Ｄにより検出された荷重値、すなわち各荷重検出センサ１Ａ〜１Ｄから出力される荷重値は、有線通信手段（又は無線通信手段）を介して制御手段２（１２０３）に荷重検出センサの検出周期毎に送信される。なお本実施形態では、各荷重検出センサ１Ａ〜１Ｄから出力される荷重値の単位は、例えば「ｋｇｆ」であるとする。
本実施形態では、各センサ１Ａ〜１Ｄにより検出された荷重値を、各センサ１Ａ〜１Ｄから出力される荷重値とも記載する。
【００９６】
制御手段２（１２０３）は、ＲＯＭ、ＲＡＭ、ＣＰＵ等を有するマイクロコンピュータを搭載した制御器からなるものであり、図３に示すように、動作モード選択手段３、判定手段１１としての臥床判定手段４、臥床時総荷重値記憶手段（臥床時総出力値記憶手段）５、荷重値データ記憶手段（出力値データ記憶手段）６、判定手段１１としての背上げ判定手段７、判定手段１１としての離床判定手段８、制御手段２（１２０３）の報知手段９、閾値記憶手段１０などを備えている。コンピュータには、所定の動作モードを実行するためのプログラムが予めインストールされている。なお、この制御手段２（１２０３）は、通常、ベッド２０の近傍、介護者（看護師を含む）の詰め所などに設置されたり、コントローラ１２０１（１６０３）に搭載されたりする。本実施形態ではコントローラ１２０１（１６０３）に搭載されている。
【００９７】
動作モード選択手段３は、背上げ判定モードを含む複数の動作モードの中から介護者等の操作者に所望する動作モードを選択させるためのものであり、例えばタッチパネルで構成された表示部（図示せず）を有している。表示部１６２２には、背上げ判定モード選択用タッチボタンを含む複数の動作モード選択用タッチボタンが表示される。背上げ判定モードを開始する場合は、操作者は、在床状況の検知を開始する際に、複数のタッチボタンの中から背上げ判定モード選択用タッチボタンをタッチ操作する。これにより、背上げ判定モードが選択されて当該モードが開始される。
【００９８】
臥床判定手段４は、第１〜第４荷重検出センサ１Ａ〜１Ｄから出力された荷重値を用いてベッド寝床部２１上に使用者Ｕが臥床したか否かを荷重検出センサの検出周期毎に判定するものである。その具体的な判定は次のように行われる。
【００９９】
図２に示すように、第１荷重検出センサ１Ａから出力された荷重値をＷ１、第２荷重検出センサ１Ｂから出力された荷重値をＷ２、第３荷重検出センサ１Ｃから出力された荷重値をＷ３、及び、第４荷重検出センサ１Ｄから出力された荷重値をＷ４とする。ここで、Ｗ１〜Ｗ４は、ベッド２０の重量を風袋値として減算処理された値であることが望ましく、即ち風袋処理された値であることが望ましい。なお、この風袋処理は制御手段２（１２０３）（又は各荷重検出センサ１Ａ〜１Ｄ）に備えられた風袋処理手段（図示せず）で行われる。本実施形態では、Ｗ１〜Ｗ４は風袋処理された値であるとする。そして、臥床判定手段４は、これらの荷重値Ｗ１〜Ｗ４を合計した総荷重値ＷＴが所定の閾値（例えば２０ｋｇｆ）以上であり、更に、これらの荷重値Ｗ１〜Ｗ４を用いて演算されたベッド寝床部２１上の使用者Ｕの重心位置Ｇ（ＧＸ，ＧＹ）がベッド寝床部２１の周縁領域ではなく臥床領域としての中央領域（クロスハッチングで示した領域）２１ａ内にあり且つその状態が所定時間（例えば５秒）以上継続している場合、使用者Ｕがベッド寝床部２１上に臥床したと判定し、一方、そうでない場合、使用者Ｕは臥床していないと判定する。
【０１００】
ここで、ベッド寝床部２１上の使用者Ｕの重心位置Ｇ（ＧＸ，ＧＹ）は、例えば次式（１Ｘ）及び（１Ｙ）に従って演算される。なお、図中のＯ（０，０）は重心位置Ｇを定めるＸ−Ｙ直交座標の原点を示している。
ＧＸ＝（Ｗ１＋Ｗ２−Ｗ３−Ｗ４）×（１／ＷＴ）×（ＢＸ／２）  …式（１Ｘ）
ＧＹ＝（Ｗ１＋Ｗ３−Ｗ２−Ｗ４）×（１／ＷＴ）×（ＢＹ／２）  …式（１Ｙ）
但し、
ＢＸ：ベッド寝床部２１の長さ方向（即ちＸ軸方向）の脚部間隔
ＢＹ：ベッド寝床部２１の幅方向（左右方向、即ちＹ軸方向）の脚部間隔
ＷＴ：Ｗ１〜Ｗ４を合計した総荷重値（即ち、ＷＴ＝Ｗ１＋Ｗ２＋Ｗ３＋Ｗ４）。
【０１０１】
臥床時総荷重値記憶手段５は、臥床判定手段４で使用者Ｕがベッド寝床部２１上に臥床したと判定された場合、その時の総荷重値ＷＴを臥床時総荷重値ＧＷＴとして算出して記憶するものである。
【０１０２】
荷重値データ記憶手段６は、荷重値Ｗ１〜Ｗ４、頭側荷重値、足側荷重値など、背上げ判定に必要な荷重値に関するデータ（これを「荷重値データ」という）を荷重検出センサの検出周期毎に算出して記憶するものである。
【０１０３】
頭側荷重値とは、第１及び第２荷重検出センサ１Ａ、１Ｂから出力された荷重値Ｗ１、Ｗ２を合計した値であり、これをＨとするとき、Ｈは次式（２）で算出される。足側荷重値とは、第３及び第４荷重検出センサ１Ｃ、１Ｄから出力された荷重値Ｗ３、Ｗ４を合計した値であり、これをＦとするとき、Ｆは次式（３）で算出される。
頭側荷重値Ｈ＝Ｗ１＋Ｗ２  …式（２）
足側荷重値Ｆ＝Ｗ３＋Ｗ４  …式（３）。
【０１０４】
背上げ判定手段７は、臥床時総荷重値記憶手段５に記憶された臥床時総荷重値ＧＷＴ及び荷重値データ記憶手段６に記憶された荷重値データを用いて、ベッド寝床部２１上の使用者Ｕが背上げ動作をしたか否かを判定するものである。この背上げ判定手段７による具体的な判定方法は、次のとおりである。
【０１０５】
すなわち、背上げ判定手段７は、所定の第１条件と所定の第２条件とのうち少なくとも一方を満足しているか否かを判定し、少なくとも一方を満足していると判定した場合にベッド寝床部２１上の使用者Ｕが背上げ動作をしたと判定し、一方、そうでないと判定した場合にベッド寝床部２１上の使用者Ｕが背上げ動作をしていないと判定するものでる。
【０１０６】
第１条件とは、現時刻（即ち現在の時刻）からｔ１時間前の頭側荷重値に対する現時刻の頭側荷重値の減少率がα１以上である状態がβ１時間以上継続しているという条件である。但し、ｔ１、α１、α１は、それぞれ０＜ｔ１、０＜α１、０＜β１である。
【０１０７】
ここで、第１条件において、現時刻の頭側荷重値をＨ０、現時刻からｔ１時間前の頭側荷重値をＨ１、現時刻からｔ１時間前の頭側荷重値Ｈ１に対する現時刻の頭側荷重値Ｈ０の減少率をＨＧ１とするとき、ＨＧ１は次式（４）で算出される（図７参照）。
ＨＧ１＝（Ｈ１−Ｈ０）／Ｈ１  …式（４）。
【０１０８】
第２条件とは、現時刻からｔ２時間前の頭側荷重値に対する現時刻の頭側荷重値の減少率がα２以上であり且つ現時刻からｔ２時間前の足側荷重値に対する現時刻の足側荷重値の増加率がα３以上である状態がβ２時間以上継続しているという条件である。但し、ｔ２、α２、β２、α３は、それぞれｔ１≦ｔ２、０＜α２＜α１、β１＜β２、０＜α３≦α２の関係を満足するように設定されている。その理由については後述する。
【０１０９】
ここで、第２条件において、現時刻の頭側荷重値をＨ０、現時刻からｔ２時間前の頭側荷重値をＨ２、現時刻からｔ２時間前の頭側荷重値Ｈ２に対する現時刻の頭側荷重値Ｈ０の減少率をＨＧ２、現時刻の足側荷重値をＦ０、現時刻からｔ２時間前の足側荷重値をＦ２、現時刻からｔ２時間前の足側荷重値Ｆ２に対する現時刻の足側荷重値Ｆ０の増加率をＦＺ２とするとき、ＨＧ２及びＦＺ２はそれぞれ次式（５ａ）及び（５ｂ）で算出される（図７、８参照）。
ＨＧ２＝（Ｈ２−Ｈ０）／Ｈ２  …式（５ａ）
ＦＺ２＝（Ｆ０−Ｆ２）／Ｆ２  …式（５ｂ）。
【０１１０】
なお後述するように、ｔ１はｔ１＜ｔ２の関係を満足するように設定されることが望ましく、またβ１はβ１≦β２×（３／５）の関係を満足するように設定されることが望ましい。その理由については後述する。
【０１１１】
さらに、この背上げ判定手段７は、上述のような第１条件と第２条件に関する判定を行うための前提条件を満足しているか否かの判定として、現時刻からｔ１時間前の総荷重値と現時刻の総荷重値との差の絶対値が臥床時総荷重値記憶手段５に記憶された臥床時総荷重値ＧＷＴの１／ａ倍以下であるか否かを判定するものとなっている。そしてこの背上げ判定手段７は、もし当該差の絶対値が臥床時総荷重値ＧＷＴの１／ａ倍以下であると判定した場合に、第１条件と第２条件とのうち少なくとも一方を満足しているか否かを判定し、一方、そうではないと判定した場合、臥床判定手段４を再実行させるものとなっている。但し、ａは１＜ａである。
【０１１２】
ここで、前提条件の判定において、現時刻の総荷重値をＷＴ０、現時刻からｔ１時間前の総荷重値をＷＴ１、現時刻からｔ１時間前の総荷重値ＷＴ１と現時刻の総荷重値ＷＴ０との差の絶対値を｜ΔＷＴ｜とするとき、｜ΔＷＴ｜は次式（６）で算出される。
｜ΔＷＴ｜＝｜ＷＴ１−ＷＴ０｜  …式（６）。
【０１１３】
なお、この背上げ判定手段７で用いられるｔ１、ｔ２、α１、α２、α３、β１、β２、１／ａなどの閾値は、いずれも、制御手段２（１２０３）の閾値記憶手段１０に介護者等が任意に変更可能に予め設定記憶されている。本実施形態では、これらの閾値は、上述したように閾値記憶制御手段１２１１により閾値記憶手段１０に書き換えられるようになっている。
【０１１４】
背上げ判定手段７について図６〜８を参照して更に具体的に説明すると、以下のとおりである。なお本実施形態では、背上げ判定手段７を理解し易くするため、ｔ１、ｔ２、β１、β２の単位は、いずれも「秒（ｓ）」であるとする。
【０１１５】
図６に示すようにベッド寝床部２１上で仰臥姿勢で臥床していた使用者Ｕが背上げ動作をした場合、頭側荷重値Ｈは例えば図７に示すように減少し、一方、足側荷重値Ｆは例えば図８に示すように増加する。
【０１１６】
第１条件において、現時刻ｔ０秒からｔ１秒前の頭側荷重値Ｈ１に対する現時刻ｔ０秒の頭側荷重値Ｈ０の減少率ＨＧ１とは、上記式（４）から分かるように（Ｈ１−Ｈ０）／Ｈ１の値である（図７参照）。ＨＧ１がα１以上であり且つその状態がβ１秒以上継続している場合には、背上げ判定手段７は第１条件を満足していると判定し、すなわちベッド寝床部２１上の使用者Ｕが背上げ動作をしたと判定する。
【０１１７】
第２条件において、現時刻ｔ０秒からｔ２秒前の頭側荷重値Ｈ２に対する現時刻ｔ０秒の頭側荷重値Ｈ０の減少率ＨＧ２とは、上記式（５ａ）から分かるように（Ｈ２−Ｈ０）／Ｈ２の値である（図７参照）。また、現時刻ｔ０秒からｔ２秒前の足側荷重値Ｆ２に対する現時刻ｔ０秒の足側荷重値Ｆ０の増加率ＦＺ２とは、上記式（５ｂ）から分かるように（Ｆ０−Ｆ２）／Ｆ２の値である（図８参照）。ＨＧ２がα２以上であり且つＦＺ２がα３以上であり更にその状態がβ２秒以上継続している場合には、背上げ判定手段７は第２条件を満足していると判定し、すなわちベッド寝床部２１上の使用者Ｕが背上げ動作をしたと判定する。
【０１１８】
したがって、背上げ判定手段７で第１条件と第２条件とのうち少なくとも一方を満足していると判定された場合には、ベッド寝床部２１上の使用者Ｕが背上げ動作をしたことを検知できる。
【０１１９】
ここで、背上げ判定手段７において、第１条件が背上げ動作が速い場合に適する背上げ判定条件になり、第２条件が背上げ動作が遅い場合に適する背上げ判定条件になるようにするため、本実施形態では、ｔ１、ｔ２、α１、α２、α３、β１、β２を次のように設定する。なお、これらの値はいずれも０よりも大きな値である。
【０１２０】
すなわち、背上げ動作が速い場合は比較的短時間で頭側荷重値Ｈが減少し、一方、背上げ動作が遅い場合は比較的長い時間をかけて頭側荷重値Ｈが減少する。そこで、第１条件のｔ１と第２条件のｔ２との関係を「ｔ１≦ｔ２」と設定する。
【０１２１】
さらに、背上げ動作が速い場合は、比較的短時間で頭側荷重値Ｈが減少するのでその減少率は比較的大きく、一方、背上げ動作が遅い場合は、比較的長い時間をかけて頭側荷重値Ｈが減少するのでその減少率は比較的小さい。そこで、第１条件のα１と第２条件のα２との関係を「α１＞α２」と設定する。
【０１２２】
このように設定することにより、第１条件が背上げ動作が速い場合に適する背上げ判定条件となるとともに、第２条件が背上げ動作が遅い場合に適する背上げ判定条件となる。そして、背上げ判定手段７では、第１条件と第２条件とのうち少なくとも一方を満足しているか否かを判定し、後述する報知手段９では、背上げ判定手段７で少なくとも一方を満足していると判定された場合、寝床部２１上の使用者Ｕが背上げ動作をした旨の情報を報知する。したがって、使用者Ｕの背上げ動作が速い場合でも遅い場合でも使用者Ｕが背上げ動作をしたか否かについて判定することができ、すなわち、使用者Ｕの背上げ動作についてその速さに追従して判定することができ、これにより使用者Ｕの背上げ動作を確実に検知することができる。
【０１２３】
さらに、背上げ動作が遅い場合は、上述したように頭側荷重値の減少率は比較的小さいことから、背上げ動作が遅い場合の頭側荷重値の減少率は、背上げ動作が速い場合の頭側荷重値の減少率よりも、背上げ動作に関係のない小さな荷重値の変動（ノイズ）の影響を受け易い。そこで、第１条件のβ１と第２条件のβ２との関係を「β１＜β２」と設定する。これにより、ノイズの影響による誤判定を回避することができ、その結果、背上げ動作についての判定精度を向上させることができる。さらに、「β１＜β２」と設定することにより、背上げ動作が速い場合は背上げ動作が遅い場合よりも早期に背上げ動作を検知することができる。
【０１２４】
さらに、背上げ動作が遅い場合は、上述したように頭側荷重値の減少率は比較的小さく、背上げ判定について誤判定を生じ易い。一方、第３及び第４荷重検出センサ１Ｃ、１Ｄから出力される荷重値Ｗ３、Ｗ４を合計した足側荷重値Ｆは、図８に示すように使用者Ｕの背上げ動作に伴って増加する。そこで、第２条件では、頭側荷重値の減少率だけではなく足側荷重値の増加率についても背上げ判定の条件に追加している。こうすることにより、背上げ動作（特に、遅い背上げ動作）についての判定精度を更に向上させることができる。ここで、もしα３をα２よりも大きく設定する（即ち、α３＞α２）と、背上げ判定のタイミングが遅くなり、背上げ動作に追従した判定が困難になる。そこで、α３を「α３≦α２」と設定する。こうすることにより、背上げ判定のタイミングを速くし得て、背上げ動作に追従した判定を確実に行うことができる。
【０１２５】
ｔ１とｔ２は、いずれも１秒〜１０分（６００秒）の範囲に設定されることが望ましく、こうすることにより、様々な背上げ動作の速さに対応した判定を確実に行うことができる。
α１は、５〜８０％の範囲に設定されることが望ましく、こうすることにより速い背上げ動作についての判定を確実に行うことができる。
α２は、５〜５０％の範囲に設定されることが望ましく、こうすることにより遅い背上げ動作についての判定を確実に行うことができる。
α３は、５〜５０％の範囲に設定されることが望ましく、こうすることにより遅い背上げ動作についての判定を更に確実に行うことができる。
β１は、１〜５秒の範囲に設定されることが望ましく、こうすることにより速い背上げ動作についての判定を確実に行うことができる。
β２は、１〜１０秒の範囲に設定されることが望ましく、こうすることにより遅い背上げ動作についての判定を確実に行うことができる。
【０１２６】
さらに、ｔ１はｔ１＜ｔ２の関係を満足するように設定されることが望ましく、こうすることにより、背上げ判定手段７の第１条件で用いた頭側荷重値の減少率ＨＧ１を第２条件よりも直近の背上げ動作に確実に対応させることができる。これにより、第１条件が背上げ動作が速い場合の背上げ判定条件に更に適するものとなる。したがって、使用者Ｕの背上げ動作についてその速さに確実に追従して判定することができ、これにより、使用者Ｕの背上げ動作を更に確実に検知することができるし、背上げ動作が速い場合は背上げ動作が遅い場合よりも確実に早期に検知することができる。
【０１２７】
さらに、β１はβ１≦β２×（３／５）の関係を満足するように設定されることが望ましく、こうすることにより、背上げ判定手段７の第１条件が背上げ動作が速い場合の背上げ判定条件に更に一層適するものとなる。したがって、使用者Ｕの背上げ動作についてその速さに更に確実に追従して判定することができ、これにより、使用者Ｕの背上げ動作を更に確実に検知することができるし、背上げ動作が速い場合は背上げ動作が遅い場合よりも更に確実に早期に検知することができる。
【０１２８】
さらに、背上げ判定手段７は、上述したように、第１条件と第２条件とのうち少なくとも一方を満足しているか否かを判定する前に、現時刻からｔ１時間前の総荷重値ＷＴ１と現時刻の総荷重値ＷＴ０との差の絶対値｜ΔＷＴ｜が臥床時総荷重値ＧＷＴの１／ａ（但し１＜ａ）倍以下であるか否かを判定するものとなっており、当該差の絶対値｜ΔＷＴ｜が臥床時総荷重値ＧＷＴの１／ａ倍以下であると判定した場合に、第１条件と第２条件とのうち少なくとも一方を満足しているか否かを判定し、一方、そうではないと判定した場合、臥床判定手段４を再実行させるものとなっている。したがって、当該差の絶対値｜ΔＷＴ｜が臥床時総荷重値ＧＷＴの１／ａ倍以下であるといった総荷重値ＷＴの変動が比較的小さい場合にのみ、第１条件と第２条件とのうち少なくとも一方を満足しているか否かを判定できるから、臥床判定手段４で使用者Ｕがベッド寝床部２１上に臥床したと判定された後において背上げ動作に関係のない大きな総荷重値ＷＴの変動があった場合（例えば、使用者Ｕが臥床したと判定された後でベッド寝床部２１上に大きな重量物が載置されることで総荷重値ＷＴの変動が大きくなった場合や、ベッド寝床部２１上に載置されていた大きな重量物が使用者Ｕが臥床したと判定された後で取り除かされることで総荷重値ＷＴの変動が大きくなった場合）を排除することができ、これにより、背上げ動作についての判定精度を更に向上させることができる。一方、差の絶対値｜ΔＷＴ｜が臥床時総荷重値ＧＷＴの１／ａ倍以下ではないと判定した場合、臥床判定手段４を再実行させる。これにより、背上げ動作についての判定精度を更に向上させることができる。なお、１／ａの値が１以上（即ち、ａ≦１）であることは非常に大きな総荷重値の変動（例えば、使用者Ｕが離床した場合や、他人がベッド寝床部２１上に乗った場合や、柵がベッド２０に取り付けられた場合）があったと考えられ正確な背上げ判定が困難になるので、１／ａの値は１よりも小さい（即ち、１＜ａ）とする。
【０１２９】
１／ａは、１／１０〜１／２（即ち、２≦ａ≦１０）の範囲に設定されることが望ましく、こうすることにより、背上げ動作に関係のない大きな総荷重値の変動による背上げ動作についての誤判定を確実に回避することができ、その結果、背上げ動作についての判定精度を更に向上させることができる。
【０１３０】
さらに、背上げ判定手段７で使用者Ｕの背上げ動作の判定に用いる値は、頭側荷重値Ｈの減少量ではなく減少率なので、使用者Ｕの体重の大小による判定のばらつきを極力なくすことができ、これにより背上げ動作についての判定精度を更に向上させることができる。  
【０１３１】
離床判定手段８は、ベッド寝床部２１上の使用者Ｕがベッド寝床部２１から離床したか否かを判定するものであり、本実施形態では、第１〜第４荷重検出センサ１Ａ〜１Ｄから出力された荷重値Ｗ１〜Ｗ４を用いてその判定が行われる。この離床判定手段８による具体的な判定は、例えば次のように行われる。
【０１３２】
すなわち、離床判定手段８は、第１〜第４荷重検出センサ１Ａ〜１Ｄから出力される荷重値Ｗ１〜Ｗ４を合計した総荷重値ＷＴが所定の閾値（例えば、臥床時総荷重値ＧＷＴに対して５０％）未満である場合、ベッド寝床部２１上の使用者Ｕが離床したと判定し、一方、総荷重値ＷＴが前記閾値未満でない場合、ベッド寝床部２１上の使用者Ｕが離床していないと判定するものである。
【０１３３】
制御手段２（１２０３）の報知手段９は、報知スピーカ、報知ランプ、表示部（例：液晶ディスプレイ、有機ＥＬディスプレイ、ＣＲＴ）等を備えたものである。そして、この報知手段９は、背上げ判定手段７で第１条件と第２条件とのうち少なくとも一方を満足していると判定された場合に、ベッド寝床部２１上の使用者Ｕが背上げ動作をした旨の情報を、当該情報に対応するアラームや音声等の音を報知スピーカから発したり、当該情報に対応する報知ランプを点灯や点滅したり、当該情報に対応する文字や図等を表示部に表示したりすることで報知対象者（例：介護者、監視者）に対して報知するものとなされている。ここで本実施形態では、報知対象者は例えば介護者であるとし、またベッド寝床部２１上の使用者Ｕが背上げ動作をした旨の情報は、当該情報に対応するアラーム（即ち使用者Ｕが背上げ動作をしたことを示すアラーム）が報知スピーカから発せられることで報知対象者に対して報知されるものとする。
【０１３４】
さらに、この報知手段９は、離床判定手段８でベッド寝床部２１上の使用者Ｕがベッド寝床部２１から離床したと判定した場合にも、ベッド寝床部２１上の使用者Ｕが離床した旨の情報を、当該当該情報に対応するアラームや音声等の音を報知スピーカから発したり、当該当該情報に対応する報知ランプを点灯や点滅したり、当該当該情報に対応する文字や図等を表示部に表示したりすることで報知対象者に対して報知するものとなされている。
【０１３５】
閾値記憶手段１０は、上述したように背上げ判定手段７で用いられるｔ１、ｔ２、α１、α２、α３、β１、β２、１／ａなどをはじめ、その他の閾値を記憶する。閾値記憶手段１０に記憶された閾値は、介護者等が任意に変更可能になっている。
【０１３６】
次に、本実施形態の検知装置１５（１１０２）を用いたベッドの在床状況検知方法について図４及び図５を参照して以下に説明する。なお、ｔ１、ｔ２、β１、β２の単位はいずれも「秒（ｓ）」である。
まず、検知装置１５（１１０２）の基本的な動作について図４を参照して説明する。
【０１３７】
ステップＳ１では、前準備工程として、介護者等の所定の作業者は第１〜第４荷重検出センサ１Ａ〜１Ｄのベッド２０への設置作業（配置作業）を行う。その作業方法は例えば次のとおりである。まず、床面２５上に４個の荷重検出センサ１Ａ〜１Ｄをベッド２０の４個の脚部間２２Ａ〜２２Ｄの間隔に対応して互いに離間して配置する（図１参照）。次いで、各荷重検出センサ１Ａ〜１Ｄの上面の荷重受け面上にベッド２０の対応する脚部（詳述するとキャスタ２３）を載置する。これにより、各荷重検出センサ１Ａ〜１Ｄのベッド２０への設置作業（配置作業）が完了する。そして、各荷重検出センサ１Ａ〜１Ｄの動作を開始させる。これにより、各荷重検出センサ１Ａ〜１Ｄによって荷重が検出されて各センサ１Ａ〜１Ｄから荷重値が出力される。
【０１３８】
ステップＳ２では、介護者等の所定の操作者が動作モード選択手段３で複数の動作モードの中から所望する動作モードとして背上げ判定モードを選択する。これにより、背上げ判定モードが開始される。次いで、ステップＳ３へ進む。
【０１３９】
ステップＳ３では、背上げ判定モードについての正常な実行に必要な値やデータ等が初期化される。この工程Ｓ３を初期化工程という。次いで、ステップＳ４へ進む。
【０１４０】
ステップＳ４では、第１〜第４荷重検出センサ１Ａ〜１Ｄから出力される荷重値Ｗ１〜Ｗ４を用いて、ベッド寝床部２１上に使用者Ｕが臥床しているか否かを臥床判定手段４により荷重検出センサの検出周期毎に判定する。この工程を「臥床判定工程Ｓ４」という。そして、もし使用者Ｕがベッド寝床部２１上に臥床したと判定した場合、ステップＳ５へ進む。この臥床判定工程Ｓ４は、使用者Ｕがベッド寝床部２１上に臥床したと判定するまで繰り返し行われる。
【０１４１】
ステップＳ５では、臥床判定工程Ｓ４で使用者Ｕがベッド寝床部２１上に臥床したと判定した時の第１〜第４荷重検出センサ１Ａ〜１Ｄから出力された荷重値Ｗ１〜Ｗ４を合計した総荷重値ＷＴを臥床時総荷重値ＧＷＴとして算出して臥床時総荷重値記憶手段５に記憶する。この工程Ｓ５を「臥床時総荷重値記憶工程Ｓ５」という。次いで、ステップＳ６へ進む。
【０１４２】
ステップＳ６では、荷重値Ｗ１〜Ｗ４、頭側荷重値Ｈ、足側荷重値Ｆなど、背上げ判定に必要な荷重値データを荷重検出センサの検出周期毎に算出して荷重値データ記憶手段６に記憶することを開始する。この工程を「荷重値データ記憶工程Ｓ６」の開始という。次いで、ステップＳ７へ進む。
【０１４３】
ステップＳ７では、第１条件と第２条件のうち少なくとも一方を満足しているか否かを背上げ判定手段７により荷重検出センサの検出周期毎に判定する。この工程を「背上げ判定工程Ｓ７」という。そして、もし使用者Ｕが背上げ動作をしたと判定した場合、ステップＳ８へ進む。なお、この背上げ判定工程Ｓ７の詳細については後述する。
【０１４４】
ステップＳ８では、ベッド寝床部２１上の使用者Ｕがベッド寝床部２１上から離床したか否かを離床判定手段８により判定する。この工程を「離床判定工程Ｓ８」という。そして、もし使用者Ｕが離床したと判定した場合、ステップＳ９へ進み、荷重値データ記憶手段６による荷重値データの記憶を終了する。そしてステップＳ１０へ進む。ステップＳ１０では、臥床時総荷重値記憶手段５に記憶された臥床時総荷重値ＧＷＴをリセットする。次いでステップＳ４（臥床判定工程）へ戻る。
【０１４５】
次に、背上げ判定工程Ｓ７の詳細について図５を参照して説明する。なお、以下で説明する背上げ判定工程Ｓ７における判定は全て背上げ判定手段７により行われる。
【０１４６】
ステップＳ２０では背上げ判定を開始する。ステップＳ２１では、臥床判定工程Ｓ４で使用者Ｕがベッド寝床部２１上に臥床したと判定した時（即ち臥床時）からｔ１秒以上経過したか否かを判定する。そして、もし臥床時からｔ１秒以上経過していると判定した場合（「ＹＥＳ」の場合）、ステップＳ２２へ進む。一方、もし臥床時からｔ１秒以上経過していないと判定した場合（「ＮＯ」の場合）、本ステップＳ２１へ戻る。
【０１４７】
ステップＳ２２では、第１条件と第２条件に関する判定を行うための前提条件を満足しているか否かの判定として、現時刻ｔ０からｔ１秒前の総荷重値ＷＴ１と現時刻ｔ０の総荷重値ＷＴ０との差の絶対値｜ΔＷＴ｜が臥床時総荷重値記憶工程Ｓ５で記憶された臥床時総荷重値ＧＷＴの１／ａ（但し１＜ａ）倍以下であるか否かを判定する。そして、もし当該差の絶対値｜ΔＷＴ｜が臥床時総荷重値ＧＷＴの１／ａ倍以下であると判定した場合（「ＹＥＳ」の場合）、ステップＳ２３へ進む。一方、もし当該差の絶対値｜ΔＷＴ｜が臥床時総荷重値ＧＷＴの１／ａ倍以下ではない判定した場合（「ＮＯ」の場合）、臥床判定工程Ｓ４へ戻る。
【０１４８】
ステップＳ２３では、現時刻ｔ０からｔ１秒前の頭側荷重値Ｈ１に対する現時刻ｔ０の頭側荷重値Ｈ０の減少率ＨＧ１がα１（但し０＜α１）以上であるか否かを判定する。そして、もし頭側荷重値Ｈ０の減少率ＨＧ１がα１以上であると判定した場合（「ＹＥＳ」の場合）、ステップＳ２４へ進む。一方、もし頭側荷重値Ｈ０の減少率ＨＧ１がα１以上ではない判定した場合（「ＮＯ」の場合）、ステップＳ２５へ進む。
【０１４９】
ステップＳ２４では、頭側荷重値Ｈ０の減少率ＨＧ１がα１以上である状態がβ１（但し０＜β１）秒以上継続しているか否かを判定する。そして、もしその状態がβ１秒以上継続していると判定した場合（「ＹＥＳ」の場合）、ステップＳ２８へ進む。一方、もしその状態がβ１秒以上継続していないと判定した場合（「ＮＯ」の場合）、ステップＳ２５へ進む。なお、ステップＳ２３とＳ２４が、第１条件を満足しているか否かを判定する工程である。
【０１５０】
ステップＳ２５では、臥床時からｔ２秒以上経過したか否かを判定する。そして、もし臥床時からｔ２秒以上経過していると判定した場合（「ＹＥＳ」の場合）、ステップＳ２６へ進む。一方、もし臥床時からｔ２秒以上経過していないと判定した場合（「ＮＯ」の場合）、ステップＳ２２へ戻る。
【０１５１】
ステップＳ２６では、現時刻ｔ０からｔ２（但しｔ１≦ｔ２）秒前の頭側荷重値Ｈ２に対する現時刻ｔ０の頭側荷重値Ｈ０の減少率ＨＧ２がα２（但し０＜α２＜α１）以上であり、且つ、現時刻ｔ０からｔ２秒前の足側荷重値Ｆ２に対する現時刻ｔ０の足側荷重値Ｆ０の増加率ＦＺ２がα３（但し０＜α３≦α２）以上であるか否かを判定する。そして、もし頭側荷重値Ｈ０の減少率ＨＧ２がα２以上であり且つ足側荷重値Ｆ０の増加率ＦＺ２がα３以上であると判定した場合（「ＹＥＳ」の場合）、ステップＳ２７へ進む。一方、もしそうではないと判定した場合（「ＮＯ」の場合）、ステップＳ２２へ戻る。
【０１５２】
ステップＳ２７では、頭側荷重値Ｈ０の減少率ＨＧ２がα２以上であり且つ足側荷重値Ｆ０の増加率ＦＺ２がα３以上である状態がβ２秒以上継続しているか否かを判定する。そして、もしその状態がβ２秒以上継続していると判定した場合（「ＹＥＳ」の場合）、ステップＳ２８へ進む。一方、もしその状態がβ２秒以上継続していないと判定した場合（「ＮＯ」の場合）、ステップＳ２２へ戻る。なお、ステップＳ２６とＳ２７が、第２条件を満足しているか否かを判定する工程である。
【０１５３】
ステップＳ２８では、ベッド寝床部２１上の使用者Ｕが背上げ動作をしたと判定し、その旨の情報としてアラームを制御手段２（１２０３）の報知手段９により所定時間（例えば２秒間）発する。この工程を「報知工程Ｓ２８」という。次いで、ステップＳ２９へ進む。
【０１５４】
ステップＳ２９では、背上げ判定に用いた荷重値データをリセットする。次いで、離床判定工程Ｓ８へ進む。
【０１５５】
次に、本実施形態の検知装置１５（１１０２）を用いた検知方法の背上げ判定工程Ｓ７での背上げ判定についての具体的な一例を、図９及び１０を参照して以下に説明する。
【０１５６】
図９は、ベッド寝床部２１上の使用者Ｕが実際に背上げ動作をし且つ背上げ判定工程Ｓ７の第１条件を適用する場合における、頭側荷重値の減少率ＨＧ１についての時間的変動の一例を示すグラフである。横軸は使用者Ｕが背上げ動作を開始した時刻（これを０秒としている）からの時間経過である。縦軸は現時刻ｔ０からｔ１秒前の頭側荷重値Ｈ１に対する現時刻ｔ０の頭側荷重値Ｈ０の減少率ＨＧ１である。また、第１条件では、ｔ１＝５秒、β１＝１．５秒、α１＝３５％に設定している。荷重検出センサの検出周期は０．５秒である。
【０１５７】
図１０は、ベッド寝床部２１上の使用者Ｕが実際に背上げ動作をし且つ背上げ判定工程Ｓ７の第２条件を適用する場合における、頭側荷重値の減少率ＨＧ２及び足側荷重値の増加率ＦＺ２についての時間的変動の一例を示すグラフである。横軸は使用者Ｕが背上げ動作を開始した時刻（これを０秒としている）からの経過時間である。縦軸の下半分（０％よりも下側）は現時刻ｔ０からｔ２秒前の頭側荷重値Ｈ２に対する現時刻ｔ０の頭側荷重値Ｈ０の減少率ＨＧ２であり、縦軸の上半分（０％よりも上側）は現時刻ｔ０からｔ２秒前の足側荷重値Ｆ２に対する現時刻ｔ０の足側荷重値Ｆ０の増加率ＦＺ２である。また、第２条件では、ｔ２＝１５秒、β２＝２．５秒、α２＝２０％、α３＝２０％に設定している。荷重検出センサの検出周期は０．５秒である。
【０１５８】
図９に示すように、第１条件では、背上げ動作の速い使用者Ｕが背上げ動作をした場合、使用者Ｕが背上げ動作を開始した時刻から１．５秒経過したとき頭側荷重値の減少率ＨＧ１がα１（＝３５％）以上になり、この状態がβ１（＝１．５）秒継続したとき（即ち、使用者Ｕが背上げ動作を開始した時刻から３秒経過したとき）、第１条件を満足し、使用者Ｕが背上げ動作をしたと判定される。
【０１５９】
一方、背上げ動作の遅い使用者Ｕが背上げ動作をした場合では、使用者Ｕが背上げ動作を開始した時刻から６．５秒を経過しても頭側荷重値の減少率ＨＧ１がα１（＝３５％）以上にならず、すなわち第１条件を満足せず、使用者Ｕが背上げ動作をしたと判定されない。
【０１６０】
したがって、第１条件は、背上げ動作が速い場合（背上げ動作の速い使用者Ｕ）に適する背上げ判定条件となっていることが分かる。
【０１６１】
図１０に示すように、第２条件では、背上げ動作の速い使用者Ｕが背上げ動作をした場合、使用者Ｕが背上げ動作を開始した時刻から１秒経過したとき頭側荷重値の減少率ＨＧ２がα２（＝２０％）以上になり、この状態がβ２（＝２．５）秒継続したとき（即ち、使用者Ｕが背上げ動作を開始した時刻から３．５秒経過したとき）、第２条件を満足し、使用者Ｕが背上げ動作をしたと判定されている。
【０１６２】
一方、背上げ動作の遅い使用者Ｕが背上げ動作をした場合では、使用者Ｕが背上げ動作を開始した時刻から３秒を経過したとき頭側荷重値の減少率ＨＧ２がα２（＝２０％）以上となるが、このときの足側荷重値の増加率ＦＺ２はα３（＝２０％）以上ではなく、よって第２条件を満足せず、使用者Ｕが背上げ動作をしたと判定されない。そして、使用者Ｕが背上げ動作を開始した時刻から４秒を経過したとき頭側荷重値の減少率ＨＧ２がα２（＝２０％）以上であり且つ足側荷重値の増加率ＦＺ２がα３（＝２０％）以上になり、この状態がβ２（＝２．５）秒以上継続したとき（即ち、使用者Ｕが背上げ動作を開始した時刻から６．５秒経過したとき）、第２条件を満足し、使用者Ｕが背上げ動作をしたと判定される。
【０１６３】
したがって、第２条件は、背上げ動作が速い場合（背上げ動作の速い使用者Ｕ）だけではなく、更に、背上げ動作が遅い場合（背上げ動作の遅い使用者Ｕ）にも適する背上げ判定条件となっていることが分かる。
【０１６４】
以上で本発明の一実施形態について説明したが、本発明は上記実施形態に限定されるものではなく本発明の要旨を変更しない範囲内で様々に変更可能である。
【０１６５】
また上記実施形態では、背上げ判定工程Ｓ７の第２条件は、現時刻からｔ２時間前の頭側荷重値に対する現時刻の頭側荷重値の減少率ＨＧ２がα２以上であり現時刻からｔ２時間前の足側荷重値に対する現時刻の足側荷重理の増加率ＦＺ２がα３以上である状態がβ２時間以上継続しているという条件であるが、本発明では、第２条件はこれに限定されず、現時刻からｔ２時間前の頭側荷重値に対する現時刻の頭側荷重値の減少率ＨＧ２がα２以上である状態がβ２時間以上継続しているという条件であっても良い。
【０１６６】
また上記実施形態では、第１〜第４荷重検出センサ１Ａ〜１Ｄからの出力値として荷重値Ｗ１〜Ｗ４を用いているが、本発明では、荷重検出センサからの出力値は荷重値であることに限定されるものではなく、その他に例えば、ベッド寝床部２１の対応する部位に掛かる荷重に対応する電圧値であっても良い。なおこの場合、荷重値は電圧値を所定の変換式に従って変換することにより演算可能であり、その演算を行うための荷重値演算手段（信号増幅部及びＡ／Ｄ変換部を含む）は例えば制御手段２（１２０３）に備えられる。
【０１６７】
また上記実施形態では、荷重検出センサ１Ａ〜１Ｄはベッド２０の脚部２２Ａ〜２２Ｄと床面２５との間に配置されているが、本発明では、荷重検出センサはこの箇所に配置されることに限定されるものではない。例えば、荷重検出センサは、ベッド寝床部２１に掛かる荷重が当該寝床部２１から床面２５に伝達される荷重伝達経路の途中に配置される。具体的には、荷重検出センサは、寝床部と脚部とを連結する連結部（例：連結フレーム）や、寝床部と脚部との間に配置されて寝床部を支持する支持部（例：支持フレーム）や、寝床部を昇降させる昇降機構のリンク部（例：リンクフレーム、リンク軸）や、脚部や、脚部とベッド移動用キャスタとを連結する連結部や、キャスタ軸部などに取り付けられたり組み込まれたりするなどして配置される。
【０１６８】
さらに本発明では、ベッドの荷重伝達経路を寝床部の側と床面の側とに上下に分割する任意の分割面を想定し、当該分割面を上下に貫通する構造部材の少なくとも一箇所に荷重検出センサとしてのロードセルを設けた態様としても良い。例えば、ベッドの荷重伝達経路の途中における、支軸とこれを受ける軸受け部とが接する面を分割面と想定することができ、この場合、支軸及び軸受け部が分割面を上下に貫通する構造部材に相当する。
【０１６９】
「端座位判定の説明」
本実施形態では、在床状況検知装置１５（１１０２）に搭載する在床状況の判定手段１１として端座位判定を追加した態様としても良い。その場合はデータセット記録手段１２０４の各判定結果、データセット蓄積手段１２１５、蓄積データの学習手段１２２０、総合判定手段１２２６、多機能報知手段１２４４にも端座位判定結果が追加される。端座位判定を追加することで被験者Ｕがベッド寝床部２１の端部に座っていることが判定できるようになり離床予知判定の点から好ましい。
【０１７０】
端座位判定とは、被験者Ｕがベッド設置面（床面）２５上に足を着けないでベッド寝床部２１の周縁部の乗降領域上に存在しているか否かを判定するものである。乗降領域とは、ベッド２０の寝床部２１の周縁部に設定された領域であり、被験者Ｕが入床及び離床（即ち乗り降り）する際に通過する領域である。
【０１７１】
端座位判定方法は、ベッド寝床部21の４つの端角部としての寝床部２１の頭側右部、頭側左部、足側右部及び足側左部にそれぞれ掛かる荷重を４個の荷重検出センサ１Ａ〜１Ｄにより検出する荷重検出工程と、被験者Ｕの重心位置がベッド寝床部２１の中央部の在床領域（図２中にクロスハッチングで示した領域）２１ａ内にある場合に、全荷重検出センサ１Ａ〜１Ｄの合計出力を在床荷重として記憶する在床荷重記憶工程と、重心位置が在床領域２１ａ内にあるか否かを判定する第１判定工程と、重心位置が在床領域２１ａ内にないと判定された場合に、全荷重検出センサ１Ａ〜１Ｄの現在の合計出力が在床荷重に対して所定割合以下であるか否かを判定する第３判定工程と、を備える。そして、現在の合計出力が所定割合以下ではないと判定された場合に、被験者Ｕがベッド設置面（床面）２５上に足を着けずにベッド寝床部２１の乗降領域上に存在していることを判定する。
【０１７２】
図４に示す検知装置１５（１１０２）の基本的な動作を示す主フローチャートにおけるＳ７とＳ８のステップの間に端座位判定ルーチンを設けることが離床動作の点から好ましい。
【０１７３】
なお、端座位判定を、離床動作の予備的動作として意味づけて「離床予知判定」とすることも可能である。
【０１７４】
＜判定手段等をサーバ上に構成する例の説明＞
本実施形態では、各判定手段１１（臥床判定手段４、背上げ判定手段７、離床判定手段８）、閾値記憶手段１０などが検知装置１５（１１０２）に搭載されたものとして説明したが、本発明の目的を達成する範囲では、各判定手段１１、閾値記憶手段１０などを在床状況情報処理センタのコンピュータに搭載した態様としても良い。
【０１７５】
その場合は、データセット記録制御手段１２０５及び記録手段１２０４が、検知装置１５（１１０２）と在床状況情報処理センタのコンピュータ１１０３とに分かれて搭載される。検知装置１５（１１０２）に搭載したデータセット記録制御手段１２０５及び記録手段１２０４では、荷重値データのみが処理対象となり、在床状況情報処理センタのコンピュータ１１０３に搭載したデータセット記録制御手段１２０５及び記録手段１２０４では、在床状況情報処理センタのコンピュータ１１０３に搭載された各種判定手段での判定結果と、在床状況情報処理センタのコンピュータ１１０３に搭載された時刻計測手段から受け取った判定時刻情報とが、選択されたイベント情報とともに関連づけられて記録され、データセット蓄積手段１２１５に蓄積保存される。
【０１７６】
＜判定手段等を多機能端末１１０４上に構成する例の説明＞
本実施形態では、各種判定手段１１（臥床判定手段４、背上げ判定手段７、離床判定手段８）、閾値記憶手段１０などが検知装置１５（１１０２）に搭載されたものとして説明したが、本発明の目的を達成する範囲では、各種判定手段１１、閾値記憶手段１０などを多機能端末１１０４に搭載した態様としても良い。
その場合は、データセット記録制御手段１２０５及び記録手段１２０４が検知装置１５（１１０２）と多機能端末１１０４に分かれて搭載される。
【０１７７】
検知装置１５（１１０２）に搭載したデータセット記録制御手段１２０５及び記録手段１２０４では、荷重値データのみが処理対象となり、通信網１１０６を介してその送信先は多機能端末１１０４となり、多機能端末１１０４に搭載された各種判定手段１１で判定が行われる。
【０１７８】
多機能端末１１０４に搭載したデータセット記録制御手段１２０５及び記録手段１２０４では、多機能端末１１０４に搭載された各種判定手段１１での判定結果と、多機能端末１１０４に搭載された時刻計測手段から受け取った判定時刻情報とが、選択されたイベント情報とともに関連づけられて記録され、通信網１１０６を介して在床状況情報処理センタのコンピュータ１１０３に搭載されたデータセット蓄積手段１２１５に蓄積保存される。
【０１７９】
＜イベント選択処理を多機能端末１１０４上に構成する例の説明＞
本実施形態では、イベント選択をコントローラ１２０１（１６０３）上の操作で実施するとして説明したが、本発明の目的を達成する範囲では、イベント選択を多機能端末１１０４上の操作で実施する態様としても良い。
【０１８０】
その場合、イベント選択判定手段１２０９及び経過時間判定手段１２１０から構成されるイベント表示制御手段１２０８を多機能端末１１０４上に搭載し、図１６に沿って前述した内容を多機能端末１１０４上で実行することで、当該態様を実現できる。
【０１８１】
なお、イベント選択のために必要な各種判定結果情報は、在床状況検知装置１５（１１０２）、在床状況情報処理センタのコンピュータ１１０３、もしくは多機能端末１１０４に搭載された各種判定手段１１から送信などで提供される。
【０１８２】
＜複数台の在床状況検知装置を接続する例の説明＞
本実施形態では、在床状況検知装置１５（１１０２）と在床状況情報処理センタのコンピュータ１１０３が１対１に対応したものとして説明したが、本発明の目的を達成する範囲では、在床状況検知装置１５（１１０２）が複数台とした態様としても良い。その場合は、例えば異なったＩＰアドレスが付与された在床状況検知装置１５（１１０２）を複数台準備して本システムに接続することで、当該態様を実現できる。在床状況検知装置１５（１１０２）が複数台となることで複数の被験者Ｕのデータがデータセット蓄積手段１２１５に蓄積保存されることになる。
その結果、学習手段１２２０が解析の基にするデータ母集団のデータ数が大きくなるので解析結果の精度が向上するので好ましい。
【０１８３】
また、被験者単体のデータを母集団とした解析結果から導出した判断基準はその単体に偏ったものになりがちであるので他の被験者に適用する標準モデルの点で不都合が生じるが、複数の被験者Ｕのデータを母集団とした解析結果から導出した判断基準は汎用の標準モデルとなるので、新しい被験者にすぐに適用できる点から好ましい。
【０１８４】
また、被験者単体のデータを母集団とした解析結果を判断基準にする場合に解析に必要なデータ数を蓄積するためには十分な数の判定結果が蓄積されるまで待つ必要があるが、複数の被験者Ｕのデータを母集団とすることで、在床状況検知装置１５（１１０２）を接続した時に既に蓄積された他の複数の被験者Ｕのデータを母集団とした解析結果を基に判断することができるので蓄積を待つことが必要ではなくなり好ましい。
【０１８５】
本実施形態では、在床状況検知装置１５（１１０２）に搭載する在床状況の判定手段１１として体動判定（たとえば被験者Ｕの位置の移動量、移動頻度を判定）を追加した態様としても良い。その場合はデータセット記録手段１２０４の各判定結果、データセット蓄積制御手段１２１６、蓄積データの学習手段１２２０、総合判定手段１２２６、多機能報知手段１２４４にも体動判定結果が追加される。体動判定を追加することで被験者Ｕのベッド寝床部２１上での体動の程度が判断できるようになり離床予知判定の点から好ましい。
【０１８６】
本実施形態では、在床状況検知装置１５（１１０２）に搭載する在床状況の判定手段１１として必要に応じて他に設置した生体情報検出器で検出された生体情報信号（被験者Ｕの呼吸数、呼吸間隔、被験者の血圧、脈拍）及びそれらを用いた睡眠深度判定を追加した態様としても良い。その場合はデータセット記録手段１２０４の各判定結果、データセット蓄積制御手段１２１６、蓄積データの学習手段１２２０、総合判定手段１２２６、多機能報知手段１２４４にも、追加された生体情報信号と睡眠深度判定結果が追加される。睡眠深度判定を追加することで被験者Ｕのベッド寝床部２１上での睡眠深さの程度の判断ができるようになり多面的な在床状況判定の点から好ましい。
【産業上の利用可能性】
【０１８７】
本発明は、寝床（例：ベッド寝床部）上に在床している被験者の在床状況に関する情報を管理する在床情報管理システム及び同システムに用いられるプログラムに利用可能である。
【符号の説明】
【０１８８】
１Ａ〜１Ｄ：荷重検出センサ（荷重検出手段）
２、１２０３：制御手段
４：臥床判定手段
５：臥床時荷重値記憶手段（臥床時出力値記憶手段）
６：荷重値データ記憶手段（出力値データ記憶手段）
７：背上げ判定手段
８：離床判定手段
１１：判定手段
１５、１１０２：ベッドの在床状況検知装置
２０：ベッド
２１：寝床部
２５：床面（ベッド設置面）
Ｕ：ベッド使用者（被験者）
１２１５：データセット蓄積手段（データセット蓄積部）
１２１６：データセット蓄積制御手段
１２２０：学習手段
１２２２：解析結果記憶手段
１２２６：総合判定手段
１２２８：総合判定蓄積手段
１２４４：報知手段
【図１】
2015042248.tif 000003
【図２】
2015042248.tif 000004
【図３】
2015042248.tif 000005
【図４】
2015042248.tif 000006
【図５】
2015042248.tif 000007
【図６】
2015042248.tif 000008
【図７】
2015042248.tif 000009
【図８】
2015042248.tif 000010
【図９】
2015042248.tif 000011
【図１０】
2015042248.tif 000012
【図１１】
2015042248.tif 000013
【図１２】
2015042248.tif 000014
【図１３】
2015042248.tif 000015
【図１４】
2015042248.tif 000016
【図１５】
2015042248.tif 000017
【図１６】
2015042248.tif 000018
【図１７】
2015042248.tif 000019